(57)【要約】      （修正有）【課題】端末が表示する情報が画像を見えにくくすることを抑制する伝送端末を提供する。【解決手段】ネットワークを介して他の伝送端末と通信可能に接続される伝送端末１０であって、他の伝送端末から当該伝送端末に接続された表示手段に表示するための表示用データを受信する受信手段１１と、受信手段が受信した表示用データを送信する他の伝送端末の端末情報を、当該伝送端末に予め関連付けられた情報記憶領域から取得する端末情報取得手段２１と、受信手段が受信した表示用データの種類に応じて、受信した表示用データと、端末情報取得手段が取得した端末情報とを対応づけて表示手段に表示する画像表示制御手段１４ｂと、を有する。【選択図】図４
2015029255.tif 000002
【特許請求の範囲】
【請求項１】
ネットワークを介して他の伝送端末と通信可能に接続される伝送端末であって、
外部から当該伝送端末に接続された表示手段に表示するための表示用データを受信する受信手段と、
前記受信手段が受信した表示用データを送信する前記他の伝送端末の端末情報を、当該伝送端末と予め関連付けられた情報記憶領域から取得する端末情報取得手段と、
前記受信手段が受信した表示用データの種類に応じて、前記受信手段が受信した表示用データと、前記端末情報取得手段が取得した端末情報とを対応づけて前記表示手段に表示する画像表示制御手段と、
を有することを特徴とする伝送端末。
【請求項２】
前記画像表示制御手段は、前記受信手段が受信した表示用データが予め定められた種類でありかつ所定のレイアウトで表示される場合に、該表示用データに前記端末情報取得手段が取得した端末情報を対応づけて前記表示手段に表示する、
ことを特徴とする請求項１記載の伝送端末。
【請求項３】
前記画像表示制御手段は、前記受信手段が受信した表示用データが予め定められた種類でありかつ１つだけ表示される場合、予め定められた種類の表示用データに前記端末情報取得手段が取得した端末情報を対応づけずに前記表示手段に表示し、
前記受信手段が受信した表示用データが予め定められた種類であるが、予め定められた種類でない表示用データと共に表示される場合、予め定められた種類の表示用データに前記端末情報取得手段が取得した端末情報を対応づけて前記表示手段に表示する、
ことを特徴とする請求項２記載の伝送端末。
【請求項４】
前記画像表示制御手段は、前記受信手段が受信した表示用データが予め定められた種類でありかつ１つだけ表示される場合、予め定められた種類の表示用データに前記端末情報取得手段が取得した端末情報を対応づけて前記表示手段に表示し、
前記受信手段が受信した表示用データが予め定められた種類であるが、予め定められた種類でない表示用データと共に表示される場合、予め定められた種類の表示用データに前記端末情報取得手段が取得した端末情報を対応づけずに前記表示手段に表示する、
ことを特徴とする請求項２記載の伝送端末。
【請求項５】
前記受信手段は、表示用データと共に表示用データの種類情報を受信し、
前記画像表示制御手段は、前記種類情報に基づき表示用データの種類を判別する、
ことを特徴とする請求項１〜４いずれか１項記載の伝送端末。
【請求項６】
前記画像表示制御手段は、前記受信手段が受信した表示用データに画像処理を施して表示用データの種類を判別する、
ことを特徴とする請求項１〜４いずれか１項記載の伝送端末。
【請求項７】
表示用データに対応づけて前記表示手段に表示された端末情報の選択を受け付ける選択受付手段を有し、
前記選択受付手段が端末情報の選択を受け付けた場合、前記画像表示制御手段は表示用データに端末情報を対応づけて表示することを終了する、
ことを特徴とする請求項１〜３いずれか１項記載の伝送端末。
【請求項８】
前記受信手段は、当該伝送端末と通信可能に接続された情報処理装置の表示装置から取り込まれた画像データを外部から受信し、
前記画像表示制御手段は、前記画像データを予め定められた種類の前記表示用データとして、該画像データへの端末情報の対応づけを行うか否かを制御する、
ことを特徴とする請求項１〜７いずれか１項記載の伝送端末。
【請求項９】
前記受信手段が受信した表示用データの種類に応じて、前記受信手段が受信した表示用データに前記端末情報取得手段が取得した端末情報を合成する端末情報合成手段を有し、
前記画像表示制御手段は、前記端末情報合成手段が端末情報を合成した表示用データを前記表示手段に表示する、
ことを特徴とする請求項１〜８いずれか１項記載の伝送端末。
【請求項１０】
ネットワークを介して他の伝送端末と通信可能に接続される伝送端末であって、
外部から当該伝送端末に接続された表示手段に表示するための表示用データを受信する受信手段と、
前記受信手段が受信した表示用データを送信する前記他の伝送端末の端末情報を、当該伝送端末に予め関連付けられた情報記憶領域から取得する端末情報取得手段と、
前記受信手段が受信した表示用データの種類に応じて、前記受信手段が受信した表示用データと、前記端末情報取得手段が取得した端末情報とを対応づけて前記表示手段に表示する画像表示制御手段と、を有し、
前記画像表示制御手段は、前記端末情報取得手段が取得した端末情報と前記受信手段が受信した表示用データを時間的に交互に前記表示手段に表示する、
又は、
前記端末情報取得手段が取得した端末情報を、表示用データが表示されるレイアウトと同じレイアウトで配置された前記表示手段のスペースに表示する、
又は、
表示用データが表示される領域毎に識別情報を表示し、前記識別情報に前記端末情報取得手段が取得した端末情報を対応づけて前記表示手段のスペースに表示する、
ことで、前記受信手段が受信した表示用データと、前記端末情報取得手段が取得した端末情報を対応づけて前記表示手段に表示する、
ことを特徴とする伝送端末。
【請求項１１】
ネットワークを介して他の伝送端末と通信可能に接続される伝送端末に、
外部から当該伝送端末に接続された表示手段に表示するための表示用データを受信する受信ステップと、
前記受信ステップにより受信された表示用データを送信する前記他の伝送端末の端末情報を、当該伝送端末と予め関連付けられた情報記憶領域から取得する端末情報取得ステップと、
前記受信ステップにより受信された表示用データの種類に応じて、前記受信ステップにより受信された表示用データと、前記端末情報取得ステップにより取得された端末情報を対応づけて前記表示手段に表示する画像表示制御ステップと、
を実行させるプログラム。
【請求項１２】
ネットワークを介して他の伝送端末と通信可能に接続される伝送端末が、
外部から当該伝送端末に接続された表示手段に表示するための表示用データを受信する受信ステップと、
前記受信ステップにより受信された表示用データを送信する前記他の伝送端末の端末情報を、当該伝送端末と予め関連付けられた情報記憶領域から取得する端末情報取得ステップと、
前記受信ステップにより受信された表示用データの種類に応じて、前記受信ステップにより受信された表示用データと、前記端末情報取得ステップにより取得された端末情報を対応づけて前記表示手段に表示する画像表示制御ステップと、
を実行する画像表示方法。
【請求項１３】
情報処理装置と複数の伝送端末とがネットワークを介して通信可能に接続される伝送システムであって、
前記情報処理装置は、
端末情報を記憶する各伝送端末と予め関連付けられた情報記憶手段を有し、
前記伝送端末は、
他の伝送端末から当該伝送端末に接続された表示手段に表示するための表示用データを受信する受信手段と、
前記受信手段が受信した表示用データを送信する前記他の伝送端末の端末情報を、前記情報記憶手段から取得する端末情報取得手段と、
前記受信手段が受信した表示用データの種類に応じて、前記受信手段が受信した表示用データと、前記端末情報取得手段が取得した端末情報を対応づけて前記表示手段に表示する画像表示制御手段と、を有する、ことを特徴とする伝送システム。
【発明の詳細な説明】
【技術分野】
【０００１】
本発明は、ネットワークを介して他の伝送端末と通信可能に接続される伝送端末等に関する。
【背景技術】
【０００２】
インターネット等の通信ネットワークを介して遠隔地との間でテレビ会議等を行う伝送システムが普及しつつある。このような伝送システムでは、複数の伝送端末の間で画像データ及び音声データの送受信が行われることにより、テレビ会議を実現することができる。また、近年のブロードバンド環境の充実化により、高画質の画像データや高音質の音声データの送受信が可能となったため、テレビ会議の相手の状況を把握し易くなり、会話による意思疎通の充実度を向上させることができる。
【０００３】
端末のディスプレイには、会議の相手が撮像された画像データが表示される。しかし、端末のユーザにとって、ディスプレイに表示された画像データが会議のどの相手の端末から送信されたものかを判別することは必ずしも容易でない。このため、ディスプレイに表示されている画像データに、送信元の端末の名称などを追加することが検討される（例えば、特許文献１参照。）。特許文献１には、複数のテレビ会議用端末から転送されてきた画像をマルチ画像として表示する際に、表示領域の一部に対応するテレビ会議用端末の情報を表示するテレビ会議システムが開示されている。
【発明の概要】
【発明が解決しようとする課題】
【０００４】
しかし、特許文献１に開示されたテレビ会議システムでは、各テレビ会議用端末の名前が画像に重なってしまい、画像が見えにくくなるという問題がある。
【０００５】
本発明は、上記課題に鑑み、端末が表示する情報が画像を見えにくくすることを抑制する伝送端末を提供することを目的とする。
【課題を解決するための手段】
【０００６】
本発明は、ネットワークを介して他の伝送端末と通信可能に接続される伝送端末であって、前記他の伝送端末から当該伝送端末に接続された表示手段に表示するための表示用データを受信する受信手段と、前記受信手段が受信した表示用データ（後述する画像データ又は表示データ）を送信する前記他の伝送端末の端末情報を、当該伝送端末に予め関連付けられた情報記憶領域から取得する端末情報取得手段と、前記受信手段が受信した表示用データの種類に応じて、前記受信手段が受信した表示用データと、前記端末情報取得手段が取得した端末情報とを対応づけて前記表示手段に表示する画像表示制御手段と、を有することを特徴とする。
【発明の効果】
【０００７】
端末が表示する情報が画像を見えにくくすることを抑制する伝送端末を提供することができる。
【図面の簡単な説明】
【０００８】
【図１】本発明の一実施形態に係る伝送システムの全体構成を示す概略図である。
【図２】本実施形態に係る伝送システムを構成する伝送端末のハードウェア構成図の一例である。
【図３】本実施形態に係る伝送システムを構成する伝送管理システムのハードウェア構成図の一例である。
【図４】本実施形態の伝送システムを構成する伝送端末、中継装置及び伝送管理システムの機能ブロック図の一例である。
【図５】画像データの画質を説明するための図である。
【図６】変更品質管理テーブルの一例を示す図である。
【図７】中継装置管理テーブルの一例を示す図である。
【図８】端末認証管理テーブルの一例を示す図である。
【図９】端末管理テーブルの一例を示す図である。
【図１０】宛先リスト管理テーブルの一例を示す図である。
【図１１】セッション管理テーブルの一例を示す図である。
【図１２】品質管理テーブルの一例を示す図である。
【図１３】拠点名称管理テーブルの一例を示す図である。
【図１４】配置情報管理テーブルの一例を示す図である。
【図１５】会議画像管理テーブルの一例を示す図である。
【図１６】外部入力装置の機能ブロック図の一例である。
【図１７】各中継装置から伝送管理システムに送信された各中継装置の稼働状態を表す状態情報を管理する処理の一例を示すシーケンス図である。
【図１８】各伝送端末間で通信を開始する準備段階の処理の一例を示すシーケンス図である。
【図１９】伝送端末がセッションを確立する処理の一例を示すシーケンス図である。
【図２０】外部入力装置が表示した表示データを会議の相手である伝送端末に表示させる処理の一例を示すシーケンス図である。
【図２１】伝送システムの全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。
【図２２】外部入力装置に表示されているデスクトップ画面の一例等を示す図である。
【図２３】表示画面の各レイアウトの一例を示す図である。
【図２４】配置情報管理テーブル更新部が配置情報管理テーブルを作成する手順を示すシーケンス図の一例である。
【図２５】拠点名の合成を模式的に説明する図の一例である。
【図２６】各端末のディスプレイに表示される表示画面の一例を示す図である。
【図２７】拠点名と画像データを分離して表示した表示画面の一例を示す図である。
【図２８】各伝送端末のディスプレイに表示される表示画面の一例を示す図である。
【図２９】表示データから拠点名が消去された表示画面の一例を示す図である。
【図３０】画像表示制御部が表示画面を表示する手順を示すフローチャート図の一例である。
【図３１】表示データか画像データかの判別について説明する図の一例である。
【図３２】表示データ共有モードの拠点名の表示例を示す図の一例である。
【図３３】画像表示制御部が表示画面を表示する手順を示すフローチャート図の一例である。
【図３４】表示データ共有モードの拠点名の表示例を示す図の一例である。
【図３５】画像表示制御部が表示画面を表示する手順を示すフローチャート図の一例である。
【図３６】ユーザによる拠点名の表示の有無を模式的に説明する図の一例である。
【図３７】画像表示制御部が表示画面を表示する手順を示すフローチャート図の一例である。
【図３８】伝送端末をカーナビゲーション装置に適用した場合のシステム構成の一例を示す図である。
【図３９】カーナビゲーション装置の構成の一例を示す図である。
【発明を実施するための形態】
【０００９】
以下、図面を参照して本発明の実施形態について説明する。しかし、本発明の技術的範囲が、本実施形態に限定されるものではない。
【００１０】
図１は、本発明の一実施形態に係る伝送システム１の全体構成を示す概略図である。以下、図１を参照して本実施形態を説明する。
【００１１】
一般に伝送システムには、伝送管理システムを介して一方の伝送端末から他方の伝送端末に一方向でコンテンツデータを通信するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムであり、テレビ又はビデオ会議システム、テレビ電話システム、音声会議システム、音声電話システム、ＰＣ（Personal computer）画面共有システム等が例として挙げられる。
【００１２】
本実施形態では、コミュニケーションシステムの一例としてのテレビ又はビデオ会議システム、コミュニケーション管理システムの一例としてのテレビ又はビデオ会議管理システム、及びコミュニケーション端末の一例としてのテレビ又はビデオ会議端末を想定した上で、伝送システム、伝送管理システム、及び伝送端末について説明する。すなわち、本発明の伝送端末及び伝送管理システムは、テレビ又はビデオ会議システムに適用されるだけでなく、コミュニケーションシステム、又は伝送システムにも適用される。
【００１３】
本実施形態の伝送システム１は、複数の伝送端末１０ａａ，１０ａｂ，１０ｂａ，１０ｂｂ，１０ｃａ，１０ｃｂ，１０ｄａ及び１０ｄｂと、各伝送端末用の複数のディスプレイ１２０ａａ，１２０ａｂ，１２０ｂａ，１２０ｂｂ，１２０ｃａ，１２０ｃｂ，１２０ｄａ及び１２０ｄｂと、各伝送端末にそれぞれ接続される複数のＰＣ等の外部入力装置４０ａａ，４０ａｂ，４０ｂａ，４０ｂｂ，４０ｃａ，４０ｃｂ，４０ｄａ及び４０ｄｂと、複数の中継装置３０ａ，３０ｂ，３０ｃ及び３０ｄと、伝送管理システム５０と、プログラム提供システム９０と、メンテナンスシステム１００とによって構築されている。
【００１４】
なお、以下の説明において特に明記しない限り、複数の伝送端末１０ａａ，……，１０ｄｂのうち任意の伝送端末を示すときは「伝送端末１０」と表記し、複数のディスプレイ１２０ａａ，……，１２０ｄｂのうち任意のディスプレイを示すときは「ディスプレイ１２０」と表記し、複数の外部入力装置４０ａａ，……，４０ｄｂのうち任意の外部入力装置を示すときは「外部入力装置４０」と表記し、複数の中継装置３０ａ，……，３０ｄのうち任意の中継装置を示すときは「中継装置３０」と表記する。また、ディスプレイ１２０は伝送端末１０の表示装置の一例である。なお、図１では伝送端末１０とディスプレイ１２０とが別体であるが、伝送端末１０とディスプレイ１２０とが一体でもよい（伝送端末１０がディスプレイ１２０を内蔵している。）。また、一体型の場合、伝送端末１０がプロジェクタとしての機能を備え映像を投影することでディスプレイ１２０と同等の機能を提供してもよい。
【００１５】
伝送端末１０は、他の伝送端末１０との間で、画像データ、音声データ等の送受信を行うようになっている。本実施形態では、画像データの画像が動画の場合について説明するが、動画だけでなく静止画であってもよい。また、画像データの画像に動画と静止画の両方が含まれていてもよい。
【００１６】
中継装置３０は、各伝送端末１０間で画像データ及び音声データの中継を行うためのものである。伝送管理システム５０は、複数の伝送端末１０及び複数の中継装置３０を一元的に管理するためのものである。
【００１７】
外部入力装置４０は、伝送端末１０と接続され、外部入力装置４０の表示装置（後述するディスプレイ２１６）に表示されている画像を表す表示データを伝送端末１０に送信するようになっている。この表示データと画像データの少なくとも一方は、特許請求の範囲の表示用データの一例である。
【００１８】
また、図１に示される複数のルータ７０ａ，７０ｂ，７０ｃ，７０ｄ，７０ｅ及び７０ｆは、画像データ及び音声データが送受信される最適な経路の選択を行うためのものである。以下の説明において特に明記しない限り、複数のルータ７０ａ，……，７０ｆのうち任意のルータを示すときは「ルータ７０」と表記する。また、プログラム提供システム９０は、ＨＤ(Hard Disk)（図示せず）を備えている。このＨＤには、伝送端末１０に各種機能又は各種手段を実現させるための伝送端末用プログラム、中継装置３０に各種機能又は各種手段を実現させるための中継装置用プログラム、及び、伝送管理システム５０に各種機能又は各種手段を実現させるための伝送管理用プログラムが格納されている。プログラム提供システム９０は、ＨＤに格納されている伝送端末用プログラム、中継装置用プログラム及び伝送管理用プログラムを、それぞれ伝送端末１０、中継装置３０及び伝送管理システム５０に送信可能に構築されている。
【００１９】
また、伝送端末１０ａａ及び１０ａｂと中継装置３０ａとルータ７０ａとは、ＬＡＮ(Local Area Network)２ａによって通信可能に接続されており、伝送端末１０ｂａ及び伝送端末１０ｂｂと中継装置３０ｂとルータ７０ｂとは、ＬＡＮ２ｂによって通信可能に接続されている。ＬＡＮ２ａ及びＬＡＮ２ｂは、ルータ７０ｃが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２０】
一方、伝送端末１０ｃａ及び１０ｃｂと中継装置３０ｃとルータ７０ｄとは、ＬＡＮ２ｃによって通信可能に接続されており、伝送端末１０ｄａ及び１０ｄｂと中継装置３０ｄとルータ７０ｅとは、ＬＡＮ２ｄによって通信可能に接続されている。ＬＡＮ２ｃ及びＬＡＮ２ｄは、ルータ７０ｆが含まれた専用線２ｃｄによって通信可能に接続されており、所定の地域Ｂ内で構築されている。例えば、地域Ｂはアメリカであり、ＬＡＮ２ｃ
はニューヨークの事業所内で構築されており、ＬＡＮ２ｄはワシントンＤ．Ｃ．の事業所内で構築されている。地域Ａと地域Ｂは、それぞれルータ７０ｃ，７０ｆからインターネット２ｉを介して通信可能に接続されている。
【００２１】
また、伝送管理システム５０、プログラム提供システム９０及びメンテナンスシステム１００は、インターネット２ｉを介して伝送端末１０及び中継装置３０と通信可能に接続されている。伝送管理システム５０、プログラム提供システム９０及びメンテナンスシステム１００は、地域Ａ又は地域Ｂに設置されていてもよいし、これら以外の地域に設置されていてもよい。
【００２２】
本実施形態では、ＬＡＮ２ａ、ＬＡＮ２ｂ、専用線２ａｂ、インターネット２ｉ、専用線２ｃｄ、ＬＡＮ２ｃ及びＬＡＮ２ｄによって通信ネットワーク２が構築されている。
【００２３】
また、図１において、各伝送端末１０、各中継装置３０、伝送管理システム５０、各ルータ７０、プログラム提供システム９０及びメンテナンスシステム１００の下に表記されている４組の数字（かっこ付き）は、一般的なＩＰｖ４ (Internet Protocol version 4) におけるＩＰアドレスを簡易的に示している。例えば、伝送端末１０ａａのＩＰアドレスは「１．２．１．３」である。また、ＩＰｖ４ではなくＩＰｖ６を用いてもよいが、説明を簡略化するため、ＩＰｖ４を用いて説明する。
【００２４】
＜＜実施形態のハードウェア構成＞＞
次に、本実施形態のハードウェア構成を説明する。
【００２５】
図２は、本実施形態に係る伝送システム１を構成する伝送端末１０のハードウェア構成図である。図２に示されるように、伝送端末１０は、伝送端末１０全体の動作を制御するＣＰＵ(Central Processing Unit)１０１と、伝送端末用プログラムを記憶したＲＯＭ(Read Only Memory)１０２と、ＣＰＵ１０１のワークエリアとして使用されるＲＡＭ(Random Access Memory)１０３と、画像データや音声データ等の各種データを記憶するフラッシュメモリ１０４と、ＣＰＵ１０１の制御に従ってフラッシュメモリ１０４に対する各種データの読み出し及び書き込みを制御するＳＳＤ (Solid State Drive)１０５と、フラッシュメモリ等の記録メディア１０６に対するデータの読み出し又は書き込み（記憶）を制御するメディアドライブ１０７と、伝送端末１０の宛先を選択する場合などに操作される操作ボタン１０８と、伝送端末１０の電源のＯＮ／ＯＦＦを切り換えるための電源スイッチ１０９と、後述の通信ネットワーク２を利用してデータ伝送をするためのネットワークＩ／Ｆ１１１と、ＣＰＵ１０１の制御に従って被写体を撮像し画像データを得るカメラ１１２と、このカメラ１１２の駆動を制御する撮像素子Ｉ／Ｆ１１３と、音声を入力するマイク１１４と、音声を出力するスピーカ１１５と、ＣＰＵ１０１の制御に従ってマイク１１４及びスピーカ１１５との間で音声信号の入出力を処理する音声入出力Ｉ／Ｆ１１６と、ＣＰＵ１０１の制御に従って外付けのディスプレイ１２０に画像データを伝送するディスプレイＩ／Ｆ１１７と、外部の装置との間で各種データを送受信する外部装置Ｉ／Ｆ１１８と、伝送端末１０の各種機能の異常を知らせるアラームランプ１１９と、上記各構成要素を相互に電気的に接続するためのアドレスバスやデータバス等のバスライン１１０を備えている。
【００２６】
なお、記録メディア１０６は、伝送端末１０に対して着脱自在な構成となっている。また、ＣＰＵ１０１の制御に従ってデータの読み出し又は書き込みを行う不揮発性メモリであれば、フラッシュメモリ１０４に限らず、ＥＥＰＲＯＭ（Electrically Erasable and Programmable ROM）等を用いてもよい。また、カメラ１１２は、光を電荷に変換して被写体の画像（映像）を電子化する固体撮像素子、例えば、ＣＣＤ(Charge Coupled Device) 素子、ＣＭＯＳ（Complementary Metal Oxide Semiconductor）素子等を備えている。また、ＳＳＤ１０５以外にＨＤＤ（Hard Disk Drive)を用いてもよい。
【００２７】
また、ディスプレイ１２０は、被写体の画像や操作用アイコン等を表示する液晶素子や有機ＥＬ素子等を用いて構成されている。
【００２８】
また、上記伝送端末用プログラムは、インストール可能な形式又は実行可能な形式のファイルで、上記記録メディア１０６等のコンピュータで読み取り可能な記録媒体に記録して流通させるようにしてもよい。
【００２９】
なお、カメラ１１２、マイク１１４、スピーカ１１５は必ずしも内蔵型の必要はなく、外付けにしてもよい。また、伝送端末１０は、専用の装置として提供されてもよいし、ＰＣ、スマートフォン、タブレット、及び、ＰＤＡ（Personal  Data  Assistant）などでもよい。
【００３０】
図３は、本実施形態に係る伝送システム１を構成する伝送管理システム５０のハードウェア構成図である。伝送管理システム５０は、伝送管理システム５０全体の動作を制御するＣＰＵ２０１と、伝送管理用プログラムを記憶したＲＯＭ２０２と、ＣＰＵ２０１のワークエリアとして使用されるＲＡＭ２０３と、各種データを記憶するＨＤ(Hard Disk)２０４と、ＣＰＵ２０１の制御に従ってＨＤ２０４に対する各種データの読み出し及び書き込みを制御するＨＤＤ２０５と、フラッシュメモリ等の記録メディア２０６に対するデータの読み出し及び書き込み（記憶）を制御するメディアドライブ２０７と、カーソル、メニュー、ウィンドウ、文字、画像等の各種情報をディスプレイ２１６に表示させるためのディスプレイＩ／Ｆ２０８と、後述の通信ネットワーク２を利用してデータ伝送をするためのネットワークＩ／Ｆ２０９と、文字、数値、各種指示等を入力するための複数のキーを備えたキーボード２１１と、各種指示の選択や実行、処理対象の選択、カーソルの移動等を行うマウス２１２と、着脱可能な記録媒体の一例としてのＣＤ−ＲＯＭ(Compact Disc Read Only Memory)２１３に対するデータの読み出し及び書き込みを制御するＣＤ−ＲＯＭドライブ２１４と、外部の装置との間で情報を送受信するための外部装置Ｉ／Ｆ２１５と、上記各構成要素間を相互に電気的に接続するためのアドレスバスやデータバス等のバスライン２１０とを備えている。なお、ディスプレイ２１６は、外部入力装置４０の表示装置の一例でもある。
【００３１】
また、上記伝送管理用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。上記伝送管理用プログラムはＨＤ２０４に記憶されていてもよい。
【００３２】
また、外部入力装置４０は、伝送管理システム５０と同様のハードウェア構成を有しているため、その説明を省略する。但し、ＲＯＭ２０２には、外部入力装置４０を制御するための外部入力装置用プログラムが格納されている。この場合も、外部入力装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００３３】
また、中継装置３０は、伝送管理システム５０と同様のハードウェア構成を有しているため、その説明を省略する。但し、ＲＯＭ２０２には、中継装置３０を制御するための中継装置用プログラムが格納されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００３４】
また、プログラム提供システム９０は、伝送管理システム５０と同様のハードウェア構成を有しているため、その説明を省略する。但し、ＲＯＭ２０２には、プログラム提供システム９０を制御するためのプログラム提供システム用プログラムが格納されている。この場合も、プログラム提供システム用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。なお、プログラム提供システム用プログラムは、ＲＯＭ２０２ではなくＨＤ２０４に格納されるようにしてもよい。
【００３５】
また、メンテナンスシステム１００は、伝送管理システム５０と同様のハードウェア構成を有しているため、その説明を省略する。このメンテナンスシステム１００は、伝送端末１０、中継装置３０、伝送管理システム５０及びプログラム提供システム９０のうちの少なくとも１つの維持、管理又は保守を行うためのコンピュータである。例えば、メンテナンスシステム１００が国内に設置され、伝送端末１０、中継装置３０、伝送管理システム５０又はプログラム提供システム９０が国外に設置されている場合、メンテナンスシステム１００は、通信ネットワーク２を介して遠隔的に、伝送端末１０、中継装置３０、伝送管理システム５０及びプログラム提供システム９０のうちの少なくとも１つの維持、管理、保守等のメンテナンスを行うようになっている。
【００３６】
また、メンテナンスシステム１００は、通信ネットワーク２を介さずに、伝送端末１０、中継装置３０、伝送管理システム５０及びプログラム提供システム９０のうちの少なくとも１つにおける機種番号、製造番号、販売先、保守点検又は故障履歴の管理等のメンテナンスを行うようにしてもよい。
【００３７】
なお、上記の着脱可能な記録媒体の他の形態としては、ＣＤ−Ｒ(Compact Disc Recordable)、ＤＶＤ(Digital Versatile Disk)、ブルーレイディスク等のコンピュータで読み取り可能な記録媒体に格納して提供するように構成してもよい。
【００３８】
＜＜実施形態の機能構成＞＞
次に、本実施形態の機能構成について、図４〜図１６を参照しながら説明する。図４は、本実施形態の伝送システム１を構成する伝送端末１０、中継装置３０及び伝送管理システム５０の機能ブロック図である。図４に示す例では、伝送端末１０と、中継装置３０と、伝送管理システム５０とが、通信ネットワーク２を介してデータ通信することができるように接続されている。また、外部入力装置４０は、伝送端末１０との間でデータを送受信することができるように接続されている。なお、図１に示されるプログラム提供システム９０及びメンテナンスシステム１００は、テレビ会議の通信と直接関係がないため、図４では図示を省略している。
【００３９】
なお、図５は、画像データの画質を説明するための図である。また、図６は変更品質管理テーブルの一例、図７は中継装置管理テーブルの一例、図８は端末認証管理テーブルの一例、図９は端末管理テーブルの一例、図１０は宛先リスト管理テーブルの一例、図１１はセッション管理テーブルの一例、図１２は品質管理テーブルの一例、をそれぞれ示す図である。また、図１３は拠点名称管理テーブルの一例、図１４は配置情報管理テーブルの一例、図１５は会議画像管理テーブルの一例、を示す図である。図１６は外部入力装置４０の機能ブロック図の一例である。
【００４０】
＜伝送端末の機能構成＞
図４に示されるように、伝送端末１０は、送受信部１１と、操作入力受付部１２と、ログイン要求部１３と、撮像部１４ａと、画像表示制御部１４ｂと、表示画像取得部１４ｃと、音声入力部１５ａと、音声出力部１５ｂと、表示画像決定部１７と、拠点名称取得部２１と、配置情報管理テーブル更新部２２と、拠点名称合成部２３と、データ種類判定部２４と、受信画像数判定部２５と、外部情報送受信部１８と、記憶・読出処理部１９と、を有している。これら各機能部は、図２に示される各構成要素のいずれかが、ＲＯＭ１０２に格納されているプログラムに従ったＣＰＵ１０１からの命令により動作することで実現される機能又は手段である。また、伝送端末１０は、図２に示されるＳＳＤ１０５によって構築される記憶部１０００を有している。
【００４１】
《配置情報管理テーブル》
記憶部１０００には、図１４に示されるような配置情報管理テーブル１４５２が記憶される。配置情報管理テーブルは、各伝送端末のディスプレイ１２０の各領域と端末ＩＤ、送信データＩＤ及び拠点名を対応づけるテーブルである。配置情報管理テーブルと後述するレイアウトによって画像データ又は表示データの配置が決定する。「領域」フィールドには領域の識別情報、「送信データＩＤ」フィールドには画像データ又は表示データの種別を含む中継装置が送信するデータの識別情報、「端末ＩＤ」フィールドには画像データ又は表示データを送信する伝送端末の端末ＩＤ、がそれぞれ登録される。「拠点名」フィールドには、拠点名称管理テーブルの端末ＩＤに対応づけられた拠点名が登録される。
【００４２】
配置情報管理テーブルは、会議が始まる際に作成され、以後、ディスプレイ１２０の表示画面のレイアウトが変更されると（領域に割り当てられる画像データ又は表示データが変更されたり、後から会議に参加する伝送端末や会議からログオフする伝送端末が生じると）更新される。
【００４３】
＜伝送端末の各機能部＞
次に、伝送端末１０の各機能部について詳細に説明する。伝送端末１０の送受信部１１は、図２に示されるネットワークＩ／Ｆ１１１によって実現され、通信ネットワーク２を介して他の伝送端末１０、中継装置３０及び伝送管理システム５０と各種データの送受信を行う。操作入力受付部１２は、図２に示される操作ボタン１０８及び電源スイッチ１０９によって実現され、ユーザによる各種入力を受け付ける。例えば、ユーザが、伝送端末１０の本体の電源スイッチをＯＮにすると、操作入力受付部１２が電源ＯＮを受け付けて、電源をＯＮにする。
【００４４】
ログイン要求部１３は、図２に示されるＣＰＵ１０１からの命令によって実現され、上記電源ＯＮの受け付けを契機として、送受信部１１から通信ネットワーク２を介して伝送管理システム５０に、ログインを要求する旨を示すログイン要求情報、及び伝送端末１０の現時点のＩＰアドレスを自動的に送信する。
【００４５】
撮像部１４ａは、図２に示されるカメラ１１２及び撮像素子Ｉ／Ｆ１１３によって実現され、被写体を撮像した画像を表す画像データを生成する。画像表示制御部１４ｂは、図２に示されるディスプレイＩ／Ｆ１１７によって実現され、画像データをレンダリングし、画像データが表す画像をディスプレイ１２０に表示させるための制御を行う。表示画像取得部１４ｃは、ディスプレイ１２０に表示されている画像を表す画像データを取得する。本実施形態ではカメラ１１２で撮像した画像を表すデータを「画像データ」という。また、後で詳細に説明する外部入力装置４０のディスプレイ２１６に表示されている画像を表すデータを「表示データ」という。なお、画像データ及び表示データは、例えばＪＰＥＧ(Joint Photographic Experts Group)、Ｂｉｔｍａｐ、ＧＤＩ(Graphics Device Interface)等の形式のデータである。
【００４６】
音声入力部１５ａは、図２に示されるマイク１１４及び音声入出力Ｉ／Ｆ１１６によって実現され、ユーザの音声を入力し、この音声を音声信号に変換することで、音声信号に係る音声データを出力する。音声出力部１５ｂは、図２に示されるスピーカ１１５及び音声入出力Ｉ／Ｆ１１６によって実現され、音声データに係る音声信号を音声に変換して出力する。
【００４７】
また、外部情報送受信部１８は、図２に示される外部装置Ｉ／Ｆ１１８を介して外部入力装置４０との間でデータを送受信する。
【００４８】
また、記憶・読出処理部１９は、図２に示されるＳＳＤ１０５によって実行され、記憶部１０００に各種データを記憶したり、記憶部１０００に記憶された各種データを読み出したりする処理を行う。
【００４９】
表示画像決定部１７は、後述するレイアウトに応じてディスプレイ１２０に表示する画像データを決定する。また、表示データを表示するレイアウトの場合、ディスプレイ１２０に表示する表示データと画像データを決定する。また、レイアウトに応じて分割された領域にどの伝送端末の画像データ又は表示データを表示するかを決定する。
【００５０】
拠点名称取得部２１は、伝送管理システムから拠点名又は拠点名称管理テーブルを取得する。拠点名称管理テーブルは、ユーザが予め伝送管理システムに登録しておく。
【００５１】
配置情報管理テーブル更新部２２は、伝送端末１０の起動後から会議の開始までに配置情報管理テーブルを作成し、レイアウトが変更され配置情報管理テーブルを更新する必要が生じると、配置情報管理テーブルを更新する。
【００５２】
データ種類判定部２４は、ディスプレイ１２０に画像データ又は表示データのどちらが表示されるかを判定する。受信画像数判定部２５は、ディスプレイ１２０に表示する画像データ又は表示データの数を判定する。
【００５３】
拠点名称合成部２３は、領域に表示される各画像データ又は表示データに配置情報管理テーブルから読み出した拠点名を合成する。または、領域に画像データ又は表示データが表示される伝送端末と、伝送端末の拠点名とを対応づける。
【００５４】
記憶部１０００には、不図示であるが、伝送端末１０を識別するための端末ＩＤ(Identification)、パスワード、画像データ・音声データ・各種データを送信する中継装置３０を識別する中継装置ＩＤ、及び、宛先端末のＩＰアドレス等が記憶される。また、記憶部１０００には、外部入力装置用プログラム１４５１と配置情報管理テーブル１４５２が格納されている。
【００５５】
外部入力装置用プログラム１４５１が外部入力装置４０に送信され、外部入力装置４０にインストールされることによって、外部入力装置４０は、後述する各機能を備えることになる。詳細については図１６の＜外部入力装置の各機能部＞にて説明する。
【００５６】
また、本実施形態における端末ＩＤ及び後述の中継装置ＩＤは、それぞれ伝送端末１０及び中継装置３０を一意に識別するために使われる言語、文字、記号又は各種のしるし等の識別情報を示す。また、端末ＩＤ及び中継装置ＩＤは、上記言語、文字、記号及び各種のしるしのうち少なくとも２つが組み合わされた識別情報であってもよい。また、以下の記載では、テレビ会議の開始を要求する要求元としての伝送端末１０を「要求元端末」とし、要求先である宛先としての伝送端末１０を「宛先端末」として説明する。
【００５７】
＜中継装置の機能構成＞
次に、中継装置３０の機能（又は手段）について説明する。中継装置３０は、図４に示されるように送受信部３１と、状態検知部３２と、データ品質確認部３３と、変更品質管理部３４と、データ品質変更部３５と、記憶・読出処理部３９とを有している。これら各機能部は、図４に示される各構成要素のいずれかが、ＲＯＭ２０２に記憶されているプログラムに従ったＣＰＵ２０１からの命令によって動作することで実現される機能又は手段である。また、中継装置３０は、図３に示されるＲＯＭ２０２、ＲＡＭ２０３又はＨＤＤ２０５のいずれかにより構築される記憶部３０００を有している。
【００５８】
《変更品質管理テーブル》
記憶部３０００には、図６に示されるような変更品質管理テーブルによって構成される変更品質管理ＤＢ３００１が構築されている。変更品質管理テーブルでは、画像データの中継先としての伝送端末１０のＩＰアドレス、及びこの中継先に中継装置３０が中継する画像データの画質が関連付けられて管理される。
【００５９】
ここで、本実施形態の伝送システム１で扱われる画像データの画像の解像度について説明する。図５を参照すると、（ａ）に示されるように横方向が１６０画素、縦方向が１２０画素からなり、ベース画像となる低解像度の画像と、（ｂ）に示されるように横方向が３２０画素、縦方向が２４０画素からなる中解像度の画像と、（ｃ）に示されるように横方向が６４０画素、縦方向が４８０画素からなる高解像度の画像とがある。このうち、狭帯域経路を経由する場合には、ベース画像となる低解像度の画像データのみからなる低画質の画像データが中継される。帯域が比較的広い場合には、ベース画像となる低解像度の画像データと中解像度の画像データとからなる中画質の画像データが中継される。また、帯域が非常に広い場合には、ベース画像となる低解像度の画像データと中解像度の画像データと高解像度の画像データとからなる高画質の画像データが中継される。図６に示される変更品質管理テーブルにおいて、例えば、中継装置３０がＩＰアドレス「１．３．２．４」の宛先端末１０ｄｂに対して画像データを中継する場合には、この中継される画像データの画質（画像の品質）は「高品質」である。
【００６０】
《会議画像管理テーブル》
記憶部３０００には、図１５に示されるような会議画像管理テーブルにより構成される会議画像管理ＤＢ３００２が構築されている。図１５を参照すると、会議画像管理テーブルには、端末ＩＤと送信データＩＤとが対応づけて登録されている。会議画像管理テーブルは、各会議において、各伝送端末がどの画像データ又は表示データを送信しているかが登録される。会議画像管理テーブルにより、例えば、伝送端末０１ａａは画像データ１，伝送端末０１ｄｂは表示データ４などのように、中継装置が各伝送端末に配信するデータが識別される。送信データＩＤ（特許請求の範囲の種類情報の一例である）により画像データか表示データかが識別される。
【００６１】
＜中継装置の各機能部＞
次に、中継装置３０の各機能部について詳細に説明する。なお、以下の記載では、中継装置３０の各機能部を説明するにあたって、図３に示される各構成要素のうち中継装置３０の各機能部を実現させるための主な構成要素との関係についても説明する。
【００６２】
中継装置３０の送受信部３１は、図３に示されるネットワークＩ／Ｆ２０９によって実現され、通信ネットワーク２を介して他の伝送端末１０、中継装置３０及び伝送管理システム５０との間で各種データの送受信を行う。状態検知部３２は、図３に示されるＣＰＵ２０１からの命令によって実現され、この状態検知部３２を有する中継装置３０の稼働状態を検知する。稼働状態としては、「ＯＮライン」、「ＯＦＦライン」「通話中」又は「故障中」の状態がある。
【００６３】
データ品質確認部３３は、図３に示されるＣＰＵ２０１からの命令によって実現され、宛先端末１０のＩＰアドレスを検索キーとして、変更品質管理テーブルを検索し、当該ＩＰアドレスに対応した中継される画像データの画質を抽出することで、中継される画像データの画質を確認する。変更品質管理部３４は、図３に示されるＣＰＵ２０１からの命令によって実現され、伝送管理システム５０から送信される、後述の品質情報に基づいて、変更品質管理ＤＢ３００１の内容を変更する。例えば、端末ＩＤが「０１ａａ」である要求元端末１０ａａと、端末ＩＤが「０１ｄｂ」である宛先端末１０ｄｂとの間で高画質の画像データを送受信することによってテレビ会議を行っている最中に、他のテレビ会議を行う要求元端末ｂｂと宛先端末ｃａが通信ネットワーク２を介してテレビ会議を開始することによって、宛先端末１０ｄｂで画像データの受信の遅延が生じた場合には、中継装置３０は今まで中継していた画像データの画質を、高画質から中画質に下げる必要がある。このような場合に、中画質を示す品質情報に基づいて、中継装置３０が中継する画像データの画質を高画質から中画質に下げるように、変更品質管理ＤＢ３００１の内容が変更される。
【００６４】
データ品質変更部３５は、図３に示されるＣＰＵ２０１からの命令によって実現され、要求元端末１０から送られてきた画像データの画質を、上記変更された変更品質管理ＤＢ３００１の内容に基づいて変更する。記憶・読出処理部３９は、図３に示されるＨＤＤ２０５によって実現され、記憶部３０００に各種データを記憶したり、記憶部３０００に記憶された各種データを読み出したりする処理を行う。
【００６５】
＜伝送管理システムの機能構成＞
次に、伝送管理システム５０の機能（又は手段）について説明する。伝送管理システム５０は、図４に示されるように送受信部５１と、端末認証部５２と、状態管理部５３と、端末抽出部５４と、端末状態取得部５５と、セッション管理部５７と、品質決定部５８と、記憶・読出処理部５９と、遅延時間管理部６０とを有している。これら各機能部は、図３に示される各構成要素のいずれかが、ＲＯＭ２０２に記憶されているプログラムに従ったＣＰＵ２０１からの命令によって動作することで実現される機能又は手段である。また、伝送管理システム５０は、図３に示されるＲＯＭ２０２、ＲＡＭ２０３又はＨＤＤ２０５によって構築される記憶部５０００を有している。
【００６６】
《中継装置管理テーブル》
記憶部５０００には、図７に示されるような中継装置管理テーブルによって構成される中継装置管理ＤＢ５００１が構築されている。この中継装置管理テーブルでは、各中継装置３０の中継装置ＩＤ毎に、各中継装置３０の稼働状態、稼働状態が示される状態情報が伝送管理システム５０で受信された受信日時、中継装置３０のＩＰアドレス及び中継装置３０における最大データ伝送速度（Ｍｂｐｓ）が関連付けられて管理される。例えば、図７に示される中継装置管理テーブルにおいて、中継装置ＩＤが「１１１ａ」の中継装置３０ａは、稼働状態が「ＯＮライン」であり、伝送管理システム５０で状態情報が受信された日時が「２００９年１１月１０日の１３時００分」であり、この中継装置３０ａのＩＰアドレスが「１．２．１．２」であり、この中継装置３０ａにおける最大データ伝送速度が１００Ｍｂｐｓであることが示されている。
【００６７】
《端末認証管理テーブル》
また、記憶部５０００には、図８に示されるような端末認証管理テーブルによって構成される端末認証管理ＤＢ５００２が構築されている。この端末認証管理テーブルでは、伝送管理システム５０によって管理される全ての伝送端末１０の各端末ＩＤに対して、各パスワードが関連付けられて管理される。例えば、図８に示される端末認証管理テーブルにおいて、伝送端末１０ａａの端末ＩＤは「０１ａａ」で、パスワードは「ａａａａ」であることが示されている。
【００６８】
《端末管理テーブル》
また、記憶部５０００には、図９に示されるような端末管理テーブルによって構成される端末管理ＤＢ５００３が構築されている。この端末管理テーブルでは、各伝送端末１０の端末ＩＤ毎に、各伝送端末１０の稼働状態、後述のログイン要求情報が伝送管理システム５０で受信された受信日時及び伝送端末１０のＩＰアドレスが関連付けられて管理される。例えば、図９に示される端末管理テーブルにおいて、端末ＩＤが「０１ａａ」の伝送端末１０ａａは、稼働状態が「ＯＮライン」であり、伝送管理システム５０でログイン要求情報が受信された日時が「２００９年１１月１０日の１３時４０分」であり、この伝送端末１０ａａのＩＰアドレスが「１．２．１．３」であることが示されている。
【００６９】
《宛先リスト管理テーブル》
また、記憶部５０００には、図１０に示されるような宛先リスト管理テーブルによって構成される宛先リスト管理ＤＢ５００４が構築されている。この宛先リスト管理テーブルでは、テレビ会議の開始を要求する要求元端末１０の端末ＩＤに対して、宛先端末１０の候補として登録されている宛先端末１０の端末ＩＤが全て関連付けられて管理される。例えば、図１０に示される宛先リスト管理テーブルにおいて、端末ＩＤが「０１ａａ」である要求元端末１０ａａからテレビ会議の開始を要求することができる宛先端末１０の候補は、端末ＩＤが「０１ａｂ」の伝送端末１０ａｂ、端末ＩＤが「０１ｂａ」の伝送端末１０ｂａ、及び端末ＩＤが「０１ｄｂ」の伝送端末１０ｄｂの３つであることが示されている。この宛先端末１０の候補は、要求元端末１０から伝送管理システム５０に対する追加又は削除の要請により、追加又は削除されることで更新される。
【００７０】
《セッション管理テーブル》
また、記憶部５０００には、図１１に示されるようなセッション管理テーブルによって構成されるセッション管理ＤＢ５００５が構築されている。このセッション管理テーブルでは、中継装置３０を選択するためのセッションの実行に用いられる選択用セッションＩＤ毎に、中継装置３０の中継装置ＩＤ、要求元端末１０の端末ＩＤ、宛先端末１０の端末ＩＤ、遅延時間（ｍｓ）、及び受信日時が関連付けられて管理される。ここで、遅延時間（ｍｓ）とは、宛先端末１０において画像データが受信される際の受信の遅延時間であり、受信日時とは、この遅延時間が示される遅延情報を宛先端末１０から送信されて伝送管理システム５０で受信された日時である。
【００７１】
例えば、図１１に示されるセッション管理テーブルにおいて、選択用セッションＩＤ「ｓｅ１」を用いて実行されたセッションで選択された中継装置３０ａ（中継装置ＩＤ「１１１ａ」）は、端末ＩＤが「０１ａａ」の要求元端末１０ａａと、端末ＩＤが「０１ｄｂ」の宛先端末１０ｄｂとの間で、画像データ及び音声データを中継していることが示されている。また、宛先端末１０ｄｂにおいて「２００９年１１月１０日の１４時００分」時点における画像データの遅延時間が２００（ｍｓ）であることが示されている。
【００７２】
なお、２つの伝送端末１０の間でテレビ会議を行う場合には、上記宛先端末１０ではなく要求元端末１０から送信されてきた遅延情報に基づいて、遅延情報の受信日時を管理してもよい。但し、３つ以上の伝送端末１０の間でテレビ会議を行う場合には、画像データ及び音声データの受信側の伝送端末１０から送信されてきた遅延情報に基づいて、遅延情報の受信日時を管理する。
【００７３】
《品質管理テーブル》
また、記憶部５０００には、図１２に示されるような品質管理テーブルによって構成される品質管理ＤＢ５００７が構築されている。この品質管理テーブルでは、要求元端末１０又は宛先端末１０における画像データの遅延時間（ｍｓ）に応じて、中継装置３０で中継させる画像データの画質（画像の品質）が関連付けられて管理される。
【００７４】
《拠点名称管理テーブル》
また、記憶部５０００には、図１３に示されるような拠点名称管理テーブルによって構成される拠点名称管理ＤＢ５００８が構築されている。図１３を参照すると、拠点名称管理テーブルは各端末ＩＤに拠点名が対応づけられている。拠点名称管理テーブルは、各伝送端末１０から端末ＩＤと共に伝送管理システムに送信され、拠点名称管理ＤＢには送信元の伝送端末１０の端末ＩＤに対応づけて拠点名称管理テーブルが管理される。拠点名称管理テーブルは、システム管理者が操作するＰＣなどから拠点名称管理ＤＢ５００８に登録されてもよい。
【００７５】
拠点名称管理テーブルには、各伝送端末の宛先リスト管理テーブルに登録されている端末ＩＤに対して、各伝送端末の拠点名が関連付けられて管理される。宛先リスト管理テーブルは伝送管理システムに登録されており、また、更新される可能性があるので、拠点名称管理テーブルも伝送管理システムが有することが好ましい。
【００７６】
しかし、必ずしも宛先リスト管理テーブルに登録されている端末ＩＤだけでなく、任意の端末ＩＤに拠点名称が関連付けられてもよい。この場合、伝送端末が拠点名称管理テーブルを有していてもよい。
【００７７】
拠点名は、ユーザが自由に名付け設定することができる。例えば、ユーザは伝送端末の操作ボタン１０８を操作して各端末ＩＤに対応づけて拠点名を入力する。ユーザにとって伝送端末がどの拠点に配置されているかは（端末ＩＤがどの拠点に対応するか）既知である。
【００７８】
拠点名称管理テーブルは伝送端末ごとに構築される伝送端末に専用のテーブルである。従って、同じ端末ＩＤでも送信元の伝送端末によって登録している拠点名は異なり得る（同じ場合もある）。例えば、送信元の端末ＩＤ＝０８ａａの伝送端末では、端末ＩＤ＝０１ａａの拠点名として「銀座」という名称が付与されているが、送信元の端末ＩＤ＝０９ａａの伝送端末では、端末ＩＤ＝０１ａａの拠点名として「銀座本社」という名称が付与されている。
【００７９】
一方、拠点名称管理テーブルを複数の伝送端末１０が共有することとして、１つの拠点名称管理テーブルが複数の伝送端末により共通に参照されてもよい。
【００８０】
拠点名は、ユーザが自由に名付け設定することができるので、拠点名称管理テーブルに拠点名以外の情報を登録してもよい。例えば、伝送端末を使用するユーザや管理者の氏名・ニックネーム、伝送端末を使用するユーザが所属する部署名、伝送端末を使用するユーザや管理者の住所、連絡先（電話番号やメールアドレス）、年齢、など任意の情報（拠点名を含むこれらの情報は特許請求の範囲の端末情報の一例である）を登録できる。
【００８１】
なお、図１３では、自拠点の端末ＩＤと拠点名が登録されていないが、自拠点の端末ＩＤと拠点名を登録するか否かはユーザが選択できる。自拠点の拠点名を登録しなかった場合は、伝送端末は例えば「自拠点」と表示してもよいし、何も表示しなくてもよい。
【００８２】
拠点名はUNICODEなどの文字コード体系に従う文字コードにより登録されている。従って、どのような形状の文字で表示されるかは伝送端末が有するフォントによって異なる。文字コードでなく、ビットマップ、ＧＩＦなどの画像データで拠点名を登録してもよい。
【００８３】
＜伝送管理システムの各機能部＞
次に、伝送管理システム５０の各機能部について詳細に説明する。なお、以下の記載では、伝送管理システム５０の各機能部を説明するにあたって、図３に示される各構成要素のうち、伝送管理システム５０の各機能部を実現させるための主な構成要素との関係についても説明する。
【００８４】
まず、送受信部５１は、図３に示されるネットワークＩ／Ｆ２０９によって実行され、通信ネットワーク２を介して伝送端末１０、中継装置３０又は他のシステム（プログラム提供システム９０と、メンテナンスシステム１００）との間で各種データの送受信を行う。端末認証部５２は、送受信部５１を介して受信されたログイン要求情報に含まれている端末ＩＤ及びパスワードを検索キーとし、記憶部５０００の端末認証管理ＤＢ５００２を検索し、端末認証管理ＤＢ５００２に同一の端末ＩＤ及びパスワードが管理されているかを判断することによって端末認証を行う。状態管理部５３は、ログイン要求してきた要求元端末１０の稼働状態を管理すべく、端末管理テーブルに、この要求元端末１０の端末ＩＤ、要求元端末１０の稼働状態、伝送管理システム５０でログイン要求情報が受信された受信日時、及び要求元端末１０のＩＰアドレスを関連付けて記憶して管理する。
【００８５】
端末抽出部５４は、ログイン要求した要求元端末１０の端末ＩＤをキーとして、宛先リスト管理テーブルを検索し、要求元端末１０と通信することができる宛先端末１０の候補の端末ＩＤを読み出すことで、端末ＩＤを抽出する。また、端末抽出部５４は、ログイン要求してきた要求元端末１０の端末ＩＤをキーとして、宛先リスト管理テーブルを検索し、上記要求元端末１０の端末ＩＤを宛先端末１０の候補として登録している他の要求元端末１０の端末ＩＤも抽出する。
【００８６】
端末状態取得部５５は、端末抽出部５４によって抽出された宛先端末１０の候補の端末ＩＤを検索キーとして、端末管理テーブルを検索し、端末抽出部５４によって抽出された端末ＩＤ毎に稼働状態を読み出す。これにより、端末状態取得部５５は、ログイン要求してきた要求元端末１０と通信することができる宛先端末１０の候補の稼働状態を取得することができる。また、端末状態取得部５５は、端末抽出部５４によって抽出された端末ＩＤを検索キーとして、端末管理テーブルを検索し、ログイン要求してきた要求元端末１０の稼働状態も取得する。
【００８７】
セッション管理部５７は、記憶部５０００のセッション管理ＤＢ５００５（図１１のセッション管理テーブル）に、生成された選択用セッションＩＤ、要求元端末の端末ＩＤ及び宛先端末の端末ＩＤを関連付けて記憶して管理する。また、セッション管理部５７は、セッション管理テーブルに中継装置３０の中継装置ＩＤを記憶して管理する。
【００８８】
品質決定部５８は、上記遅延時間を検索キーとして、品質管理テーブルを検索し、対応する画像データの画質を抽出することで、中継装置３０に中継させる画像データの画質を決定する。記憶・読出処理部５９は、図３に示されるＨＤＤ２０５によって実行され、記憶部５０００に各種データを記憶したり、記憶部５０００に記憶された各種データを読み出したりする処理を行う。遅延時間管理部６０は、上記宛先端末１０のＩＰアドレスを検索キーとして、端末管理テーブルを検索することで、対応する端末ＩＤを抽出し、さらにセッション管理テーブルにおいて、上記抽出した端末ＩＤが含まれるレコードにおける遅延時間のフィールド部分に、上記遅延情報で示される遅延時間を記憶して管理する。
【００８９】
＜外部入力装置の機能構成＞
図１６は、外部入力装置の機能ブロック図の一例を示す。外部入力装置４０は、図１３に示されるように送受信部４１と、接続検出部４２と、インストール判定部４３ａと、プログラム取得部４３ｂと、表示データ取得部４５１と、表示データ送信部４５２と、操作入力受付部４６と、表示制御部４７と、マウント部４８と、記憶・読出処理部４９とを有している。これら各機能部は、図３に示される各構成要素のいずれかが、ＲＯＭ２０２に記憶されているプログラムに従ったＣＰＵ２０１からの命令によって動作することで実現される機能又は手段である。また、表示データ取得部４５１、及び、表示データ送信部４５２は、伝送端末１０の記憶部１０００に記憶されている外部入力装置用プログラム１４５１をダウンロードして、これら各プログラムをインストールすることによって実現される。さらに、外部入力装置４０は、図３に示されるＲＯＭ２０２、ＲＡＭ２０３又はＨＤＤ２０５によって構築される記憶部４０００を有している。また、特に図示はしていないが、外部入力装置４０は、Ｗｉｎｄｏｗｓ（登録商標）や"Mac（登録商標） OS "、"Mac（登録商標） OS X Lion"、"Mac（登録商標） OS X""OS  X"等のＯＳ(Operating System)を搭載し、これにより、他の装置と接続した際にははプログラムを実行する機能を備えている。
【００９０】
＜外部入力装置の各機能部＞
次に、外部入力装置４０の各機能部について詳細に説明する。まず、送受信部４１は、図３に示される外部装置Ｉ／Ｆ２１５によって実現され、伝送端末１０との間で各種データ（情報）の送受信を行う。接続検出部４２は、図３に示される外部装置Ｉ／Ｆ２１５により伝送端末１０との間で各種データの送受信が可能となったことを検出する。
【００９１】
インストール判定部４３ａは外部入力装置４０に外部入力装置用プログラム１４５１がインストールされているか否かを判定する。インストールされていない場合、プログラム取得部４３ｂは、送受信部４１を経由してマウント部４８がマウントした伝送端末１０の記憶部１０００から外部入力装置用プログラム１４５１をインストールする。
【００９２】
操作入力受付部４６は、ユーザの操作によって入力された情報を受け付ける。表示制御部４７は、後述する記憶・読出処理部４９が読み出した画像やメニューをディスプレイ２１６に表示させる。マウント部４８は、伝送端末１０の記憶部１０００をマウントする。これにより、外部入力装置４０は、外部入力装置用プログラム１４５１をインストールできるようになる。
【００９３】
表示データ取得部４５１は、外部入力装置４０のディスプレイ２１６に表示されている画像を表す表示データを取得する。表示データ送信部４５２は、表示データ取得部４５１が取得した表示データを伝送端末１０に送信する。
【００９４】
記憶・読出処理部４９は、図３に示されるＨＤＤ２０５によって実行され、記憶部４０００に各種データを記憶したり、記憶部４０００に記憶された各種データを読み出したりする処理を行う。
【００９５】
＜＜実施形態の処理・動作＞＞
次に、本実施形態の伝送システム１において行われる各種処理及び動作について、図１７〜図２１を参照しながら説明する。なお、図１７は、各中継装置３０から伝送管理システム５０に送信された各中継装置３０の稼働状態を表す状態情報を管理する処理の一例を示すシーケンス図である。図１８は、各伝送端末１０間で通信を開始する準備段階の処理の一例を示すシーケンス図である。図１９は、伝送端末がセッションを確立する処理の一例を示すシーケンス図である。図２０は、外部入力装置４０が表示した表示データを会議の相手である伝送端末１０に表示させる処理の一例を示すシーケンス図である。図２１は伝送システム１の全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。
【００９６】
まず、図１７を参照して、各中継装置３０から伝送管理システム５０に送信された各中継装置３０の稼動状態を表す状態情報を管理する処理について説明する。まず、各中継装置３０（３０ａ〜３０ｄ）では、状態検知部３２が、自装置である中継装置３０の稼働状態を定期的に検知している（Ｓ１−１〜Ｓ１−４）。そして、伝送管理システム５０側で各中継装置３０の稼働状態をリアルタイムで管理させるべく、各中継装置３０の送受信部３１は、定期的に通信ネットワーク２を介して伝送管理システム５０へ各状態情報を送信する（ステップＳ２−１〜Ｓ２−４）。これら各状態情報には、各中継装置３０毎の中継装置ＩＤと、これら各中継装置ＩＤに係る中継装置３０の状態検知部３２で検知された稼働状態とが含まれている。なお、本実施形態では、中継装置３０ａ、３０ｂ及び３０ｄは、正常に稼働して「ＯＮライン」となっている一方で、中継装置３０ｃは、稼働中ではあるが、中継装置３０ｃの中継動作を実行するためのプログラムに何らかの不具合が生じて「ＯＦＦライン」となっている場合が示されている。
【００９７】
次に、伝送管理システム５０では、各中継装置３０ａ〜３０ｄから送られてきた各状態情報を送受信部５１が受信し、記憶・読出処理部５９を介して記憶部５０００の中継装置管理ＤＢ５００１（図７の中継装置管理テーブル）に、中継装置ＩＤ毎に状態情報を記憶して管理する（ステップＳ３−１〜Ｓ３−４）。これにより、中継装置管理テーブルに対して、中継装置ＩＤ毎に「ＯＮライン」、「ＯＦＦライン」又は「故障中」のいずれかの稼働状態が記憶されて管理される。その際、中継装置ＩＤ毎に、伝送管理システム５０で状態情報が受信された受信日時も記憶されて管理される。なお、中継装置３０から状態情報が送られてこない場合には、中継装置管理テーブルの各レコードにおける稼働状態のフィールド部分及び受信日時のフィールド部分が空白になるか、又は、前回の受信時の稼働状態及び受信日時が維持されて管理される。
【００９８】
次に、図１８を用いて、伝送端末１０ａａと伝送端末１０ｄｂとの間で、通信を開始する前の準備段階の処理について説明する。まず、ユーザが、電源スイッチ１０９をＯＮにすると、操作入力受付部１２が電源ＯＮを受け付けて、電源をＯＮにする（ステップＳ２１）。次に、ログイン要求部１３は、上記電源ＯＮの受信を契機とし、送受信部１１から通信ネットワーク２を介して伝送管理システム５０に、ログイン要求を示すログイン要求情報を自動的に送信する（ステップＳ２２）。このログイン要求情報には、要求元としての自装置である伝送端末１０ａａを識別するための端末ＩＤ及びパスワードが含まれている。これら端末ＩＤ及びパスワードは、記憶・読出処理部１９を介して記憶部１０００から読み出されて、送受信部１１に送られたデータである。なお、伝送端末１０ａａから伝送管理システム５０へログイン要求情報が送信される際、受信側である伝送管理システム５０は、送信側である伝送端末１０ａａのＩＰアドレスを把握することができる。
【００９９】
次に、伝送管理システム５０の端末認証部５２は、送受信部５１を介して受信したログイン要求情報に含まれている端末ＩＤ及びパスワードを検索キーとして、記憶部５０００の端末認証管理ＤＢ５００２（図８の端末認証管理テーブル）を検索し、端末認証管理ＤＢ５００２に同一の端末ＩＤ及びパスワードが管理されているかを判断することにより、端末認証を行う（ステップＳ２３）。この端末認証部５２によって、同一の端末ＩＤ及びパスワードが管理されているため正当な利用権限を有する伝送端末１０からのログイン要求であると判断された場合には、状態管理部５３は、端末管理ＤＢ５００３（図９の端末管理テーブル）に、伝送端末１０ａａの端末ＩＤ、稼働状態、上記ログイン要求情報が受信された受信日時、及び伝送端末１０ａａのＩＰアドレスを関連付けて記憶する（ステップＳ２４）。これにより、端末管理テーブルには、伝送端末ＩＤ「０１ａａ」に、稼働状態「ＯＮライン」、受信日時「２００９．１１．１０．１３：４０」及び端末ＩＰアドレス「１．２．１．３」が関連付けて管理されることになる。
【０１００】
次に、伝送管理システム５０の送受信部５１は、端末認証部５２によって得られた認証結果が示された認証結果情報を、通信ネットワーク２を介して、上記ログイン要求してきた要求元端末１０ａａに送信する（ステップＳ２５）。本実施形態では、端末認証部５２によって正当な利用権限を有する伝送端末であると判断された場合について、以下続けて説明する。
【０１０１】
伝送管理システム５０の端末抽出部５４は、ログイン要求した要求元端末１０ａａの端末ＩＤ「０１ａａ」を検索キーとして、宛先リスト管理テーブルを検索し、要求元端末１０ａａと通信することができる宛先端末１０の候補の端末ＩＤを読み出すことによって抽出する（ステップＳ２６）。ここでは、要求元端末１０ａａの端末ＩＤ「０１ａａ」に対応する宛先端末１０ａｂ、１０ｂａ及び１０ｄｂのそれぞれの端末ＩＤ「０１ａｂ」、「０１ｂａ」及び「０１ｄｂ」が抽出されることになる。
【０１０２】
次に、端末状態取得部５５は、端末抽出部５４によって抽出された宛先端末１０の候補の端末ＩＤ（「０１ａｂ」、「０１ｂａ」、「０１ｄｂ」）を検索キーとして、端末管理テーブルを検索し、端末抽出部５４によって抽出された端末ＩＤ毎に稼働状態（「ＯＦＦライン」、「ＯＮライン」、「ＯＮライン」）を読み出すことにより、伝送端末（１０ａｂ、１０ｂａ、１０ｄｂ）の各稼働状態を取得する（ステップＳ２７）。
【０１０３】
次に、送受信部５１は、ステップＳ２７で使用された検索キーとしての端末ＩＤ（「０１ａｂ」、「０１ｂａ」、「０１ｄｂ」）と、対応する宛先端末（１０ａｂ、１０ｂａ、１０ｄｂ）の稼働状態（「ＯＦＦライン」、「ＯＮライン」、「ＯＮライン」）とが含まれた宛先状態情報を、通信ネットワーク２を介して要求元端末１０ａａに送信する（ステップＳ２８）。これにより、要求元端末１０ａａは、この要求元端末１０ａａと通信することができる宛先端末１０の候補である伝送端末（１０ａｂ、１０ｂａ、１０ｄｂ）の現時点のそれぞれの稼働状態（「ＯＦＦライン」、「ＯＮライン」、「ＯＮライン」）を把握することができる。
【０１０４】
さらに、伝送管理システム５０の端末抽出部５４は、ログイン要求してきた要求元端末１０ａａの端末ＩＤ「０１ａａ」を検索キーとして、宛先リスト管理テーブルを検索し、要求元端末１０ａａの端末ＩＤ「０１ａａ」を宛先端末１０の候補として登録している他の要求元端末１０の端末ＩＤを抽出する（ステップＳ２９）。図１０に示される宛先リスト管理テーブルでは、抽出される他の要求元端末１０の端末ＩＤは、「０１ａｂ」、「０１ｂａ」及び「０１ｄｂ」である。
【０１０５】
次に、伝送管理システム５０の端末状態取得部５５は、ログイン要求してきた要求元端末１０ａａの端末ＩＤ「０１ａａ」を検索キーとして、端末管理テーブルを検索し、その要求元端末１０ａａの稼働状態を取得する（ステップＳ３０）。
【０１０６】
次に、送受信部５１は、ステップＳ２９で抽出された端末ＩＤ（「０１ａｂ」、「０１ｂａ」及び「０１ｄｂ」）の伝送端末（１０ａｂ，１０ｂａ，１０ｄｂ）のうち、端末管理テーブルで稼働状態が「ＯＮライン」となっている伝送端末（１０ｂａ、１０ｄｂ）に、ステップＳ３０で取得された要求元端末１０ａａの端末ＩＤ「０１ａａ」と稼働状態「ＯＮライン」が含まれる宛先状態情報を送信する（ステップＳ３１−１，Ｓ３１−２）。なお、送受信部５１が伝送端末（１０ｂａ、１０ｄｂ）に宛先状態情報を送信する際に、各端末ＩＤ（「０１ｂａ」、「０１ｄｂ」）に基づいて、端末管理テーブルで管理されている伝送端末のＩＰアドレスを参照する。これにより、ログイン要求した要求元端末１０ａａを宛先として通信することができる他の宛先端末（１０ｄｂ、１０ｂａ）の各々に、ログイン要求した要求元端末１０ａａの端末ＩＤ「０１ａａ」及び稼働状態「ＯＮライン」を伝えることができる。
【０１０７】
一方、他の伝送端末１０においても、ユーザが電源スイッチ１０９をＯＮにすると（上記ステップＳ２１）、操作入力受付部１２が電源ＯＮを受け付け、上記ステップＳ２２〜Ｓ３１−１、３１−２の処理と同様の処理を行うため、その説明を省略する。
【０１０８】
次に、図１９を参照して、伝送端末がセッションを確立する処理について説明する。本実施形態では、要求元端末１０ａａは、宛先の候補としての伝送端末１０のうち、上記ステップＳ２８において受信した宛先状態情報により、稼働状態が「ＯＮライン」である伝送端末１０ｂａ及び１０ｄｂのうち少なくとも一方と通信を行うことができる。そこで、以下の記載では、要求元端末１０ａａのユーザが宛先端末１０ｄｂと通信を開始することを選択した場合について説明する。
【０１０９】
まず、ユーザが操作ボタン１０８を押下して伝送端末１０ｄｂを選択すると、伝送端末１０ａａの操作入力受付部１２は、宛先を伝送端末１０ｄｂとする選択を受け付ける（ステップＳ４１）。次に、伝送端末１０ａａの送受信部１１は、要求元端末１０ａａの端末ＩＤ「０１ａａ」及び宛先端末１０ｄｂの端末ＩＤ「０１ｄｂ」が含まれ、通信を開始したい旨を示す開始要求情報を、伝送管理システム５０へ送信する（ステップＳ４２）。これにより、伝送管理システム５０の送受信部５１は、その開始要求情報を受信すると共に、送信元である要求元端末１０ａａのＩＰアドレス「１．２．１．３」を把握することになる。そして、状態管理部５３は、開始要求情報に含まれる要求元端末１０ａａの端末ＩＤ「０１ａａ」及び宛先端末１０ｄｂの端末ＩＤ「０１ｄｂ」に基づいて、端末管理ＤＢ５００３の端末管理テーブル上で、上記端末ＩＤ「０１ａａ」及び端末ＩＤ「０１ｄｂ」がそれぞれ含まれるレコードの稼働状態のフィールド部分を、それぞれ「通話中」に変更する（ステップＳ４３）。この状態では、要求元端末１０ａａと宛先端末１０ｄｂは、通信（通話）を開始していないが通話中状態となり、他の伝送端末１０が要求元端末１０ａａ又は宛先端末１０ｄｂと通信しようとすると、いわゆる通話中状態を示す旨の音声又は表示が出力される。
【０１１０】
伝送管理システム５０は、中継装置３０を選択するためのセッションの実行に用いられる選択用セッションＩＤを生成する（ステップＳ４４）。そして、セッション管理部５７は、記憶部５０００のセッション管理テーブルに、ステップＳ４４で生成された選択用セッションＩＤ「ｓｅ１」、要求元端末１０ａａの端末ＩＤ「０１ａａ」、及び宛先端末１０ｄｂの端末ＩＤ「０１ｄｂ」を関連付けて記憶して管理する（ステップＳ４５）。
【０１１１】
この後、伝送管理システム５０は、中継装置管理ＤＢ５００１及び端末管理ＤＢ５００３に基づいて、要求元端末１０ａａと宛先端末１０ｄｂとの通信を中継するための中継装置３０の絞り込みを行うが詳細は省略した。
【０１１２】
次に、伝送管理システム５０のセッション管理部５７は、セッション管理ＤＢ５００５のセッション管理テーブルにおいて、選択用セッションＩＤ「ｓｅ１」が含まれるレコードの中継装置ＩＤのフィールド部分に、上記の最終的に１つに選択された中継装置３０ａの中継装置ＩＤ「１１１ａ」を記憶して管理し（ステップＳ６７−１）、送受信部５１は中継装置ＩＤ「１１１ａ」、宛先端末１０ｄｂのＩＰアドレス「１．３．２．４」を要求元端末１０ａａに送信する（ステップＳ６７−２１）。なお、伝送管理システム５０の送受信部５１は、通信ネットワーク２を介して中継装置３０ａへ、中継を開始する旨の要求が示された中継開始要求情報を送信する（ステップＳ６８）。この中継開始要求情報には、中継される要求元端末１０ａａ及び宛先端末１０ｄｂの各ＩＰアドレス（「１．２．１．３」、「１．３．２．４」）が含まれている。これにより、中継装置３０ａは、伝送端末１０ａａと伝送端末１０ｄｂとの間で、低解像度、中解像度及び高解像度の３つの画像データと音声データを通信するためのセッションを確立する（ステップＳ６９）。これにより、各伝送端末（１０ａａ、１０ｄｂ）は、テレビ会議を開始することができる。なお、通信する３つの画像データはあくまで一例であり、３つより多くても少なくてもよい。
【０１１３】
なお、各伝送端末１０は、H.264（H.264/AVC、MPEG-4 part10、MPEG4 AVC）、その拡張規格であるH.264/SVC、又は、Mpeg2などの映像符号化標準規格を利用して、画像データの送受信を行う。
【０１１４】
次に、中継装置３０が決定された後に、外部入力装置４０のディスプレイ２１６に表示される画像を表す表示データを他の伝送端末１０に送信してディスプレイ１２０に表示させる処理について、図２０を参照しながら説明する。ここでは、伝送端末１０ａａに接続されている外部入力装置４０ａａが表示している情報を、宛先端末である伝送端末１０ｄｂに表示させる場合を例にとって説明する。
【０１１５】
上記のように中継装置３０が決定されると、ステップＳ６７−２１において伝送管理システム５０が送信した中継装置ＩＤ「１１１ａ」及び宛先端末１０ｄｂのＩＰアドレス「１．３．２．４」を、伝送端末１０ａａの送受信部１１が受信する。そして、その受信された中継装置ＩＤ「１１１ａ」及びＩＰアドレス「１．３．２．４」を、記憶・読出処理部１９が記憶部１０００に記憶させる（ステップＳ６７−２２）。
【０１１６】
また、外部入力装置４０ａａが伝送端末１０ａａに接続されると、外部入力装置４０ａａの接続検出部４２が、その接続を検知（検出）する（ステップＳ７０）。なお、外部入力装置４０ａａが起動すると、表示制御部４７が少なくとも全体領域を含む画面を表示している。接続検出部４２が、外部入力装置４０ａａと伝送端末１０ａａの接続を検出すると、インストール判定部４３ａは、外部入力装置４０ａａが表示データ取得部４５１、及び、表示データ送信部４５２を備えているかを判定する（ステップＳ７１）。具体的には、インストール判定部４３ａは、外部入力装置４０ａａに外部入力装置用プログラム１４５１がインストールされているか否かを判定する。外部入力装置用プログラム１４５１がインストールされている場合には、それぞれに対応する機能部を外部入力装置４０ａａが備えていると判定される。
【０１１７】
一方、インストール判定部４３ａによって、外部入力装置４０ａａが表示データ取得部４５１又は表示データ送信部４５２のいずれかを備えていないと判定された場合には、マウント部４８が、伝送端末１０ａａの記憶部１０００をマウントする（ステップＳ７２）。次いで、プログラム取得部４３ｂが、伝送端末１０の記憶部１０００に記憶されている外部入力装置用プログラム１４５１を取得し、インストールする（ステップＳ７３）。これによって、外部入力装置４０ａａは、表示データ取得部４５１及び表示データ送信部４５２を備えることになる。なお、外部入力装置用プログラム１４５１を、外部入力装置４０ａａが予め有していてもよい。
【０１１８】
ステップＳ７３の処理が終了すると、送受信部４１は、表示データを送信する許可を要求するための情報を伝送端末１０ａａに送信する（ステップＳ７４）。そして、伝送端末１０ａａから要求に対する許可を表す情報を送受信部４１が受信すると、表示データ取得部４５１は、ディスプレイ２１６に表示されている画像を表す表示データを取得する（ステップＳ７５）。
【０１１９】
この段階で表示データの解像度を変更してもよい。ディスプレイ２１６とディスプレイ１２０とで解像度が異なる場合に、表示データを適切に表示できるようになる。
【０１２０】
送信元の伝送端末１０ａａの外部情報送受信部１８が外部入力装置４０ａａから表示データを受信すると、記憶・読出処理部１９が、記憶部１０００に記憶されている中継装置ＩＤ「１１１ａ」と、宛先となる伝送端末１０ｄｂのＩＰアドレス「１．３．２．４」を読み出す（ステップＳ７７）。
【０１２１】
そして、ステップＳ７４で読み出された中継装置ＩＤ「１１１ａ」で示される中継装置３０に対して、送受信部１１が、解像度が変換された表示データと、宛先となる伝送端末１０ｄｂのＩＰアドレス「１．３．２．４」を送信する（ステップＳ７８）。
【０１２２】
中継装置３０が、ステップＳ７８で伝送端末１０ａａから送信された表示データを受信すると、宛先の伝送端末１０ｄｂのＩＰアドレス「１．３．２．４」に基づいて、表示データの画質を変更し（ステップＳ７９）、伝送端末１０ｄｂに表示データを送信する（ステップＳ８０）。なお、図では明らかでないが、中継装置３０は伝送端末１０ａａにも表示データを送信する。これは、表示データの送信元の伝送端末１０ａａも中継装置３０から送信された表示データを共有するという伝送システム１の仕様のためである。
【０１２３】
中継装置３０から送信された表示データを伝送端末１０ｄｂの送受信部１１が受信すると、画像表示制御部１４ｂが、その受信した表示データによって表される画像をディスプレイ１２０に表示させる（ステップＳ８１）。
【０１２４】
図２１は、伝送システム１の全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。外部入力装置４０ａａにはユーザが、伝送端末１０ｄｂと共有したい画面が表示される。外部入力装置４０ａａ、４０ｄｂに表示される画面をデスクトップ画面という。デスクトップ画面には全体を１つの領域（以下、区別するため全体領域という）として、全体領域の中に複数の領域が表示されうる（領域が１つも表示されないことがある。）。図２１では一例として全体領域、領域Ａ及び領域Ｂが表示されている。
【０１２５】
図２０の処理により、ディスプレイ１２０ａａには伝送端末１０ａａが画像データ及び表示データを表示させ、ディスプレイ１２０ｄｂには伝送端末１０ｄｂが画像データ及び表示データを表示させる。以下、この画面を表示画面という。
【０１２６】
ディスプレイ１２０ａａ、１２０ｄｂはそれぞれ３つの領域に分割されている。ディスプレイ１２０ａａの表示画面の例では、画面左部には外部入力装置４０ａａで表示された表示データが表示され、画面右上部には、伝送端末１０ｄｂの撮像部１４ａによって撮像され、送受信部１１が伝送端末１０ｄｂから受信した画像データが表示される。また、画面右下部には、伝送端末１０ａａの撮像部１４ａによって撮像された画像データが表示される。同様に、ディスプレイ１２０ｄｂの表示画面の例では、画面左部には外部入力装置４０ａａで表示された表示データが表示され、画面右上部には、伝送端末１０ａａの撮像部１４ａによって撮像され、送受信部１１が伝送端末１０ａａから受信した画像データが表示される。また、画面右下部には、伝送端末１０ｄｂの撮像部１４ａによって撮像された画像データが表示される。
【０１２７】
表示画面Ｉ，IIは、表示データとして全体領域が共有される場合（I）と領域Ａが共有される場合（II）とを対比して示している。ユーザａａ、ｄｂは、それぞれ全体領域又は任意の領域Ａ，Ｂを選択して表示することができる。
【０１２８】
〔表示データの共有の制御〕
図２２（ａ）は外部入力装置４０ａａに表示されているデスクトップ画面の一例を示す図である。外部入力装置４０ａａには外部入力装置用プログラムがインストールされており、定常的に又はユーザが所定の操作を行うことで例えばデスクトップ画面の右下に共有設定受付ボタン３０１を表示させる。所定の操作は、例えば外部入力装置用プログラムのアイコンをクリック又はダブルクリックすること、該アイコンをマウスオーバーすることなどである。
【０１２９】
図２２（ｂ）（ｃ）は共有設定受付ボタン３０１を拡大して示す図の一例である。図２２（ｂ）では「共有の開始」という文字が表示された共有設定受付ボタン３０１が、図２２（ｃ）では「共有の停止」という文字が表示された共有設定受付ボタン３０１が示されている。図２２（ｂ）でユーザがポインティングデバイスで共有設定受付ボタン３０１をクリックすると、外部入力装置４０ａａのディスプレイ２１６ａａに表示されている表示データの共有が開始される。具体的には、外部入力装置４０ａａの操作入力受付部４６が共有設定受付ボタン３０１のクリックを受け付けて、送受信部４１が配信要求を伝送端末１０ａａに送信する。伝送端末１０ａａの送受信部１１は中継装置３０に配信イベントを通知する。
【０１３０】
これにより、中継装置３０は外部入力装置４０ａａが送信する表示データを共有するという配信イベントを全ての伝送端末に通知する。通知された伝送端末１０は、表示データを画像データと共に図２１のように表示する。
【０１３１】
また、外部入力装置４０ａａのディスプレイ２１６ａａに表示されている表示データが共有されている状態では図２２（ｃ）の共有設定受付ボタン３０１が表示される。図２２（ｃ）でユーザがポインティングデバイスで共有設定受付ボタン３０１をクリックすると、外部入力装置４０ａａのディスプレイ２１６ａａに表示されている表示データを、伝送端末１０ｄｂと共有することが停止される。具体的には、外部入力装置４０ａａの操作入力受付部４６が共有設定受付ボタン３０１のクリックを受け付けて、送受信部４１が配信停止要求を伝送端末１０ａａに送信する。伝送端末１０ａａの送受信部１１は中継装置３０に配信イベント（停止）を通知する。これにより、中継装置３０は、外部入力装置４０ａａが送信する表示データを共有することを中止するという配信イベントを全ての伝送端末に通知する。通知された伝送端末１０ｄｂは、後述する表示データ共有モードになる前のレイアウトに戻す（表示データは表示されなくなり１つ以上の画像データが表示される。）。伝送端末１０ａａも同様に表示データ共有モードになる前のレイアウトに戻す。なお、配信イベント（停止）により、伝送端末１０ａａは表示データを送信しなくなり、中継装置３０は表示データを配信しなくなる。
【０１３２】
なお、本実施形態の伝送システム１では、最後に「共有の開始」という共有設定受付ボタン３０１をクリックした外部入力装置４０の全体領域又は領域の表示データが共有されるようになっている。従って、ユーザｄｂが図２２（ｂ）の「共有の開始」が表示された共有設定受付ボタン３０１をクリックした場合、ユーザａａが図２２（ｃ）の「共有の停止」の共有設定受付ボタン３０１をクリックしなくても、外部入力装置４０ａａのディスプレイ２１６に表示されている表示データの共有が自動的に停止する。
【０１３３】
〔伝送端末が表示する画面表示例〕
伝送端末１０がディスプレイ１２０に表示する画面は、レイアウトの変更が可能であり、例えば以下のようなモードに応じてレイアウトが切り替わる。
【０１３４】
・マルチビューモード（相手画像をメインにして右側、下側、左側に残りの拠点（自拠点含む）の画像が小さく表示される）
・PandPモード（自拠点を含む参加拠点が同じ大きさで配列される）
・フルスクリーンモード
・表示データ共有モード（表示データの共有の開始・共有の停止により切り替わる）
図２３は表示画面の各レイアウトの一例を示す図であり、図２３（ａ）はマルチビューモードのレイアウトを、図２３（ｂ）はPandPモードのレイアウトを、図２３(ｃ)はフルスクリーンモードのレイアウトをそれぞれ示している。ユーザは表示画面のレイアウトを選択できる。
【０１３５】
表示データ共有モードでは、マルチビューモードと同様に、表示データをメインにして右側、下側、左側に残りの拠点（自拠点含む）の画像が小さく表示される。表示データ共有モードにおいても、ユーザが表示データをフルスクリーンで表示させたり画像データと同じ大きさで表示することができる。
【０１３６】
１つの会議に参加可能な伝送端末の上限数は、ネットワークの帯域、伝送管理システム、中継装置３０の仕様などにより制限され、また、各伝送端末が一度に表示可能な領域数も伝送端末の仕様などにより制限される。ただし、実用上は十分な上限数及び領域数が確保されている。ここでは、一度に表示可能な領域数より少ない数の拠点と会議するものとして説明する。表示画像決定部１７は、以下のように、領域と画像データ又は表示データの対応を決定する。
【０１３７】
・マルチビューモード
表示画像決定部１７は、例えば、音声データの音量が最も大きい伝送端末の画像データ又は表示データを領域１に表示すると決定する。これにより、発言中のユーザが使用する伝送端末の画像データを大きく表示することができる。
【０１３８】
大きさが均等な領域（領域２〜４又は領域２〜９）については、表示画像決定部１７は、例えば会議に参加した順番に、領域を各伝送端末に割り当てる。こうすることで、上又は端から領域が埋まっていくので、ユーザは各参加者を確認しやすい。
【０１３９】
なお、自拠点の画像データは、領域２〜４又は領域２〜９の予め決まった領域が割り当てられる（例えば右下の領域４又は領域７）。
【０１４０】
・PandPモード
大きさが均等な領域（領域１〜４又は領域１〜９）については、表示画像決定部１７は、例えば会議に参加した順番に、領域を各伝送端末に割り当てる。また、領域１については、音声データの音量が最も大きい伝送端末の画像データを表示すると決定してもよい。この場合、大きさは均一でも常に領域１に発言中のユーザが使用する伝送端末の画像データを表示できる。自拠点の画像データは、例えば右下などの予め決まった領域（領域４又は領域９）が割り当てられる。
【０１４１】
・フルスクリーンモード
表示画像決定部１７は、例えば、音声データの音量が最も大きい伝送端末１０の画像データを領域１に表示すると決定する。
【０１４２】
・表示データ共有モード
表示画像決定部１７は、表示データを最も大きい領域１（不図示であるが例えばマルチビューモードの領域１）に表示すると決定する。その他の領域については、表示画像決定部１７は、例えば会議に参加した順番に、領域を各伝送端末の画像データに割り当てる。
【０１４３】
なお、いずれのモードにおいても、表示画像決定部１７が一度、決定した領域と拠点の対応は固定である必要はない。例えば、ユーザは任意の拠点が送信する画像データ又は表示データを任意の領域に割り当てることができる。
【０１４４】
〔配置情報管理テーブルの作成〕
図２４は、配置情報管理テーブル更新部２２が配置情報管理テーブルを作成する手順を示すシーケンス図の一例である。上記のように配置情報管理テーブルとレイアウトによって画像データ又は表示データの配置が決定する。なお、すでに２つ以上の伝送端末１０ａａと１０ｄｂ間でセッションが確立している。
【０１４５】
S1：伝送端末０１ｄｂは中継装置３０を経由して画像データ又は表示データ（図では表示データ４）を送信する。伝送端末０１ｄｂから中継装置３０に画像データのみが送信されるのか、又は、画像データと表示データが送信されるのかは、上記の配信イベントにより中継装置３０に通知されている。中継装置３０は画像データをセッションが確立した全ての伝送端末に配信すると共に、配信イベントに基づき表示データをセッションが確立した全ての伝送端末に配信する。
【０１４６】
S2：中継装置３０は新たに画像データ又は表示データを受信すると、会議画像管理テーブルを更新する。画像データを受信した場合、伝送端末０１ｄｂが送信する画像データに送信データＩＤを付与する。
【０１４７】
S3：中継装置３０は、端末ＩＤ、及び、表示データ４という送信データＩＤが付与された画像データを、伝送端末０１ａａを含めセッションが確立している全ての伝送端末１０に送信する。
【０１４８】
S4：伝送端末０１ａａの配置情報管理テーブル更新部２２は、配置情報管理テーブルを更新する。ここで、表示画像決定部１７が上記のようにどの領域に画像データを割り当てるかを決定するので、配置情報管理テーブルの「領域」、「送信データＩＤ」、及び、「端末ＩＤ」に値が登録される。
【０１４９】
S5：拠点名称取得部２１は、伝送管理システムが有する端末ＩＤ＝０１ａａを送信元とする拠点名称管理テーブル（特許請求の範囲の情報記憶領域の一例）から、端末ＩＤ＝０１ｄｂに紐付いた拠点名を要求する。ステップS5又はこれよりも前のタイミングで、端末ＩＤ＝０１ａａを送信元とする拠点名称管理テーブルそのものを伝送管理ステムからダウンロードしておいてもよい。
【０１５０】
S6：拠点名称取得部２１は、伝送管理システムから例えば「新横浜」という拠点名を取得する。
【０１５１】
S7：配置情報管理テーブル更新部２２は、拠点名を用いて配置情報管理テーブルを更新する。すなわち、配置情報管理テーブルの「拠点名」に「新横浜」と登録する。
【０１５２】
以上の処理をセッションが確立されている他の伝送端末についても繰り返すことで、配置情報管理テーブルに、セッションが確立している全ての伝送端末が割り当てられた領域、端末ＩＤ、データ別及び拠点名が登録される。
【０１５３】
従って、会議が始まって、中継装置３０が伝送端末１０ａａに端末ＩＤと表示データ４という送信データＩＤが付与された画像データを配信した場合、伝送端末１０ａａは、端末ＩＤ又は送信データＩＤ（表示データ４）に基づき拠点名を特定し、画像データ１に拠点名（新横浜）を合成できる。
【０１５４】
伝送端末１０ａａが配置情報管理テーブルを有することで、伝送端末１０ａａが画像データ又は表示データに拠点名を合成する際に、伝送管理システムに都度、問い合わせるよりも遅延を大幅に抑制できる。
【０１５５】
なお、予め伝送端末１０が配置情報管理テーブルを常に有しているとしてもよい。しかし、送信データＩＤは中継装置３０が動的に付与するため送信データＩＤと端末ＩＤの対応が変更される可能性がある。また、領域と端末ＩＤの対応も動的に変更される。このため、本実施形態のように伝送端末１０が会議の開始時に配置情報管理テーブルを作成することが好ましい。
【０１５６】
なお、このシーケンス図では、自拠点の拠点名を取得する手順が明らかでないが、自拠点の拠点名は、伝送端末の起動時に伝送管理システムから取得しておく。または、自拠点に対しては、予め初期設定の拠点名（例えば、「自拠点」）が伝送端末に設定されており、伝送管理システムから取得せずに表示してもよい。または、自拠点の画像データ又は表示データが表示される領域には拠点名を表示しなくてもよい。
【０１５７】
〔拠点名の表示例〕
図２５は、拠点名の合成を模式的に説明する図の一例である。図２５は表示画面の１つの領域の画像データを示している。拠点名称合成部２３は、Ｈ２６４／ＳＶＣなどで圧縮された画像データ又はＪＰＥＧやＢＭＰなどで送信される表示データに対し、画素演算を行うことで拠点名を合成する。例えば、画像データ又は表示データと同じサイズの画像メモリに、拠点名をレンダリングした画素値データを用意する。なお、このような画像メモリはレイヤーと呼ばれる場合がある。拠点名称合成部２３は、画像データ又は表示データの拠点名に対応する画素値を、画像メモリの画素値で上書きする（置き換える）。
【０１５８】
また、上書きするのでなく、画素値を加算したり減算してもよい。また、画像データの拠点名に対応する画素値と画像メモリの画素値の平均を取って、拠点名を半透明にして画像データに重ねてもよい。図２５では画像データを例にしたが表示データの場合も合成の方法は同様である。
【０１５９】
また、拠点名を画像データに合成せずに表示してもよい。図２６（ａ）は、各伝送端末１０のディスプレイ１２０に表示される拠点名の一例を示す。画像メモリには拠点名がレンダリングされている。画像表示制御部１４ｂが画像データを表示している際、拠点名称合成部２３は、例えば所定の割合で時間的に交互に、画像表示制御部１４ｂに対し画像メモリの拠点名を表示するよう要求する。例えば、画像データを１０秒間表示したら、１秒だけ拠点名を表示するよう要求することで、表示画面の１つの領域を時分割して画像データと拠点名を表示することができる。この場合、合成のような処理は不要にできるので、処理負荷を低減できる。
【０１６０】
また、図２６（ｂ）に示すように、画像データを圧縮してできた隙間（スペース）に拠点名を表示してもよい。画像メモリには拠点名がレンダリングされているが、拠点名の画像データのサイズは拠点名が表示可能な最小限のサイズでよい。
【０１６１】
拠点名称合成部２３は伝送端末から送信される画像データを縦方向に圧縮して拠点名が表示可能な隙間を確保する。そして、拠点名称合成部２３はこの隙間に拠点名の画像データを配置することで、１枚の画像データを作成する。従って、必ずしも合成という処理を行わなくも、画像データに拠点名を対応づけて表示することができる。
【０１６２】
また、拠点名と画像データを同じ領域に表示しなくてもよい。図２７（ａ）は拠点名と画像データを分離して表示した表示画面の一例を示す図である。図２７（ａ）では４つの領域１〜４のうち３つに画像データが表示されている。このような場合、拠点名称合成部２３は、領域４に３つの領域１〜３の拠点名をまとめて表示する。この時、拠点名称合成部２３は、領域４を領域１〜３と同じレイアウトに（レイアウトに対し相似形に）分割して領域４１〜４４を作成し、領域１に対応する領域４１に領域１の拠点名を、領域２に対応する領域４２に領域２の拠点名を、領域３に対応する領域４３に領域３の拠点名を、それぞれ表示する。このように表示することで、拠点名を重複させずに領域１〜３の画像データを表示することができる。
【０１６３】
また、図２７（ｂ）に示すように、番号などで領域と拠点名を対応づけてもよい。この場合、画像表示制御部１４ｂは各領域に、数値やアルファベット、記号などの重複しない識別情報を表示する。拠点名称合成部２３は、表示画面の適当な空間に、識別情報に紐づけて拠点名を表示する。この場合も、拠点名を重複させずに領域１〜３の画像データを表示することができる。
【０１６４】
図２８は、各伝送端末のディスプレイ１２０に表示される表示画面の一例を示す。各伝送端末１０の拠点名称合成部２３は専用の配置情報管理テーブルを参照して、画像データ又は表示データに拠点名を合成する。図２８はマルチビューモードと同等の表示データ共有モードのレイアウトの一例である。
【０１６５】
図２８（ａ）は端末ＩＤ=０１ａａ、図２８（ｂ）は端末ＩＤ=０１ｄｂの表示画面である。どちらも領域３に自拠点の画像データを表示している。
【０１６６】
端末ＩＤ＝０１ａａと０１ｄｂが会議している他の伝送端末（例えば、端末ＩＤ＝０１ｂａ，０１ｄｂ）は共通なので、いずれも端末ＩＤ＝０１ａａ，０１ａｂ，０１ｂａ，０１ｄｂの画像データが表示されている。しかし、図２８（ａ）の端末ＩＤ＝０１ａａの伝送端末のディスプレイ１２０には拠点名が漢字で表示され、図２８（ｂ）の端末ＩＤ＝０１ｄｂの伝送端末のディスプレイ１２０には拠点名がローマ字で表示されている。
【０１６７】
このように、伝送端末１０の拠点名を各伝送端末のユーザごとに変更させることができる。また、伝送端末１０の拠点名をユーザが任意に変更して伝送管理システムに登録しておくことができる。
【０１６８】
〔拠点名と表示データの重なり〕
ところで、図２６（ａ）や図２８のように拠点名と領域を対応づけて表示すれば、画像データ又は表示データと拠点名の対応を一目で把握できるが、表示データに拠点名が重なることでユーザが表示データの必要な箇所を読めない状況が生じる場合があった。図２８はマルチビューモードであるが、フルスクリーンモードでも表示データと拠点名の相対位置と相対的な大きさはほとんど変わらないので、表示データと拠点名が重なる点では同じである。
【０１６９】
図２６（ｂ）のように拠点名と領域を対応づけて表示すれば重なるおそれはないが、画像データや表示データが歪むおそれがある。また、図２７（ａ）（ｂ）のように拠点名と領域を対応づけて表示すれば画像データ又は表示データと領域名が重なることはないが、拠点名を表示するための空間が必要になってしまう。
【０１７０】
そこで、本実施例では、表示データと拠点名の重なりを抑制して表示する表示方法について説明する。なお、図２６（ｂ）、２７（ａ）（ｂ）の表示方法を排除する意図はなく、図２６（ｂ）、２７（ａ）（ｂ）の表示方法によっても拠点名と領域を対応づけて表示できる。また、表示データと拠点名の合成を例に説明するが、画像データと拠点名の重なりを抑制することも可能である。
【０１７１】
〔拠点名の消去１〕
図２９は表示データから拠点名が消去された表示画面の一例を示す図である。図２９（ａ）では表示データモードで４つの拠点の画像データと１つの表示データがディスプレイ１２０に表示画面として表示されている。銀座を拠点とする伝送端末１０ａａのユーザが表示データの共有を開始しているため、外部入力装置４０ａａの表示データが共有され、ディスプレイ１２０ａａの領域１に表示されている。伝送端末１０ｄｂのディスプレイ１２０ｄｂにおいても領域１に表示データが表示されている。
【０１７２】
しかし、図２９では、表示データには拠点名が表示されない。従って、会議に参加するユーザは拠点名に遮断されずに資料を目視することができる。
【０１７３】
図３０は、画像表示制御部１４ｂが表示画面を表示する手順を示すフローチャート図の一例である。伝送端末１０はレイアウトが変更される度に拠点名と領域を正しく対応づけて表示画面を表示する。
【０１７４】
まず、配置情報管理テーブル更新部２２は、レイアウト変更の契機が検出されたか否かを判定する（Ｓ１０１０）。レイアウト変更には以下のような契機がある。
a．ユーザがモードを切り替えた場合
b．ユーザが表示データを共有する操作を行った場合
c．ユーザが表示データの共有を終了して画像データを表示する操作を行った場合
d．拠点が増えた場合
e．拠点が減った場合
ａの操作は、操作入力受付部１２が検出する。ｂ、ｃでは、自拠点のユーザが操作する場合と他拠点のユーザが操作する場合があるが、いずれの場合も中継装置３０から配信イベントが通知される。ｂ、ｃの場合は図２４にて説明したように、中継装置３０は、新たな送信データＩＤと端末ＩＤを各伝送端末に通知する。ｄについては、中継装置３０から新しい拠点の端末ＩＤと送信データＩＤを取得することで検出する。ｅについては例えばセッションが切れたことを検出してもよいし、伝送管理システム５０からの通知を利用してもよい。
【０１７５】
レイアウト変更の契機が検出された場合（Ｓ１０１０のＹｅｓ）、表示画像決定部１７は表示する画像データ又は表示データを決定する（Ｓ１０２０）。まず、モードに変更があった場合は変更後のモードのレイアウトを特定する。表示データ共有モード以外であれば、１つ（フルスクリーンモードの場合）又は拠点数（表示可能な上限数を超えない範囲で）と同じ数の画像データを表示すると決定する。また、表示データ共有モードであれば、１つの表示データ（表示データは１つしなかい）と、拠点数（表示可能な上限数を超えない範囲であるが）と同じ数の画像データを表示すると決定する。表示データがフルスクリーンで表示される場合は表示データだけ決定する。
【０１７６】
拠点名称取得部２１は、自拠点の端末ＩＤと紐付いた拠点名称管理テーブルにおいて、表示すると決定された画像データ又は表示データを送信する伝送端末の端末ＩＤと紐付いている拠点名を取得する（Ｓ１０３０）。上記のように、中継装置３０は端末ＩＤと送信データＩＤを送信しているので、画像データ又は表示データを送信する伝送端末の端末ＩＤは明らかになっている。
【０１７７】
配置情報管理テーブル更新部２２は、配置情報管理テーブルを更新する（Ｓ１０４０）。すなわち、表示すると決定された画像データ又は表示データの領域を決定し、送信データＩＤ、端末ＩＤ、及び、拠点名を対応づけて登録する。領域の決定方法は上記のとおりである。
【０１７８】
ついで、データ種類判定部２４は配置情報管理テーブルに登録された各レコード毎に、表示データか否かを判定する（Ｓ１０５０）。表示データか否かは送信データＩＤに基づき判別できる。
【０１７９】
そして、表示データの場合（Ｓ１０５０のＹｅｓ）、処理はステップＳ１０８０に進むので、表示データに拠点名は合成されない。
【０１８０】
表示データでない場合（Ｓ１０５０のＮｏ）、拠点名称合成部２３は、中継装置３０から画像データと共に送信される端末ＩＤ又は送信データＩＤと紐付いている拠点名を配置情報管理テーブルから読み出す（Ｓ１０６０）。
【０１８１】
そして、拠点名称合成部２３は、拠点名を、領域毎に画像データと合成する（Ｓ１０７０）。
【０１８２】
画像表示制御部１４ｂは、配置情報管理テーブルに基づき、拠点名が合成された画像データ、及び、表示データがあれば表示データの領域を特定し、それらを変更後のレイアウトに従って配置することで表示画面をディスプレイ１２０に表示する（Ｓ１０８０）。すなわち、レイアウトに基づき各領域の位置を決定し、各領域のサイズに応じて画像データ又は表示データを縮小・拡大するなどして、拠点名が合成された画像データと表示データを各領域に配置する。
【０１８３】
このように、ステップＳ１０５０で表示データか否かを判定することで、表示データには拠点名を合成しないことができる。レイアウトが変わる毎に配置情報管理テーブルを更新するので、会議中にレイアウトが変わっても領域と拠点名の対応を正しく維持できる。
【０１８４】
図３１を用いて、ステップＳ１０５０の判定について補足する。図３１（ａ）は表示データか画像データかの判別について説明する図の一例である。画像データに撮像されるユーザは完全に停止していることは困難なので、同じ画素でも画素値が変動する。従って、背景と比べてユーザが撮像されている画素の画素値は変動し、特に背景との境界部分で画素値の変動が大きい。これに対し、表示データはユーザが資料を変更するなどしない限り画素値の変動が少ない。
【０１８５】
そこで、データ種類判定部２４は、時系列に撮像される画像データの同じ画素同士で画素値の差分演算を行う。すると、境界部の画素の差が大きくなるので、これをｘ軸とｙ軸に投影して画素の差を累積（加算）していく。境界部に対応するｘ座標とｙ座標の累積値は時間と共に大きくなるので、閾値を超えた場合には画像データであると判定できる。
【０１８６】
また、表示データには文字が含まれる場合が多いことを利用して、表示データであることを検出してもよい。データ種類判定部２４は、例えば、画像データ又は表示データにＯＣＲ（Optical Character Reader）を施し、所定数以上の文字が認識できた場合、表示データであると判定する。
【０１８７】
また、図３１（ｂ）に示すように文字そのものを検出してもよい。例えば、二値化して黒画素の連結成分を抽出する。文字の場合は、線と線で繋がっている範囲が１つの連結成分である。また、１つ１つの文字は離れているので、連結成分の外接矩形を求めることで、１つの文字を囲む矩形領域を特定できる。一般に文字がある場合、文字のサイズは一定であり、複数の文字が縦又は横に並んでいる。これを利用して、同程度の矩形領域が水平方向に所定数以上（若しくは連結成分の数に対する所定割合以上）、又は、垂直方向に所定数以上（若しくは連結成分の数に対する所定割合以上）並んでいる場合、表示データであると推定できる。
【０１８８】
また、このような画像処理を利用するのでなく、画像データがカメラで撮像されることを利用してもよい。カメラが撮像した画像データには画像データ本体以外に、撮像日時、圧縮フォーマット、フレームレート、などのヘッダ情報が添付されている。これに対し、表示データはキャプチャ（取り込まれた）データなので、このようなヘッダ情報が添付されない。従って、ヘッダ情報の有無により、画像データか表示データかを判定できる。
【０１８９】
また、画像データと表示データでファイルフォーマットが異なる場合は、ファイルの拡張子により判別してもよい。例えば、画像データのファイル形式がＭＯＶやＭＰ４の場合、拡張子は「.mov」や「.mp4」となる。表示データをＪＰＥＧで送信する場合、拡張子は「.jpg」である。
【０１９０】
〔拠点名の消去２〕
拠点名の消去１では各伝送端末は表示データには一切、拠点名を表示しない表示画面の作成について説明した。これにより、各ユーザが表示データに着目している場合、各ユーザは拠点名に遮断されずに表示データを目視して議論できる。しかし、フルスクリーンで表示されない表示データであれば、着目度は低く拠点名を把握したいユーザが存在する場合もある。
【０１９１】
そこで、フルスクリーンで表示データが表示される場合にのみ、表示データに拠点名を合成しない合成方法について説明する。
【０１９２】
図３２は表示データ共有モードの拠点名の表示例を示す図の一例である。図３２（ａ）は表示データ共有モードにおいて表示データがフルスクリーンで表示された表示画面を、図３２（ｂ）は表示データ共有モードにおいてマルチビュー表示された表示画面を、図３２（ｃ）は画像データがフルスクリーンモードにて表示された表示画面を、それぞれ示す。
【０１９３】
図３２（ａ）では表示データに拠点名が合成されていないが、図３２（ｂ）では表示データに拠点名が合成されている。図３４（ａ）により、ユーザは表示データを大きなサイズで目視することができる。図３４（ｂ）によりユーザは表示データの拠点名を確認できる。また、図３２（ｃ）では画像データに拠点名が合成されている。画像データがフルスクリーンモードで表示される場合は、通話相手との意志疎通を重視していると考えられるが拠点名を合成しても意思疎通が阻害されるほどではない。また、拠点名を合成することで、通話相手の拠点を確実に把握できる。
【０１９４】
図３３は、画像表示制御部１４ｂが表示画面を表示する手順を示すフローチャート図の一例である。図３３の手順のうちステップＳ１０４０までの処理は図３０と同様である。
【０１９５】
ステップＳ１０４０において配置情報管理テーブルが更新されると、配置情報管理テーブルには表示画面に表示されるだけの数の画像データ又は表示データのレコードが登録されている。
【０１９６】
受信画像数判定部２５は画像データ又は表示データが１つだけ表示されるか否かを判定する（Ｓ１０４２）。すなわち、配置情報管理テーブルに登録された領域（レコード）が１つか否かを判定する。
【０１９７】
画像データ又は表示データが１つだけ表示される場合（Ｓ１０４２のＹｅｓ）、データ種類判定部２４は表示されるのが表示データか否かを判定する（Ｓ１０５０）。表示されるのが表示データの場合、拠点名が合成されないので、表示データが１つだけ表示される場合、表示データには拠点名が合成されない。
【０１９８】
画像データ又は表示データが１つだけ表示されない場合（Ｓ１０４２のＮｏ）、及び、画像データ又は表示データが１つだけ表示されても画像データが表示される場合（Ｓ１０５０のＮｏ）、拠点名称合成部２３は、画像データ又は表示データに拠点名を合成する（Ｓ１０６０、Ｓ１０７０）。
【０１９９】
従って、図３３のような合成手順によれば表示データがフルスクリーンで表示される場合にだけ拠点名を合成しないことができる。
【０２００】
〔拠点名の消去３〕
拠点名の消去２ではフルスクリーンで表示データが表示される場合にのみ、表示データに拠点名を合成しない合成方法について説明した。しかし、フルスクリーンで表示される表示データであれば、若干、拠点名と重なってもユーザが内容を把握可能な場合がある。一方、フルスクリーンで表示されない表示データは、拠点名が重なることで見えにくくなる可能性がある。
【０２０１】
そこで、フルスクリーンで表示データが表示される場合には表示データに拠点名を合成し、フルスクリーンで表示されない表示データには拠点名を合成しない合成方法について説明する。
【０２０２】
図３４は表示データ共有モードの拠点名の表示例を示す図の一例である。図３４（ａ）は表示データ共有モードにおいて表示データがフルスクリーンで表示された表示画面を、図３４（ｂ）は表示データ共有モードにおいてマルチビュー表示された表示画面を、図３４（ｃ）は画像データがフルスクリーンモードにて表示された表示画面を、それぞれ示す。
【０２０３】
図３４（ａ）では表示データに拠点名が合成されているが、図３４（ｂ）では表示データに拠点名が合成されていない。図３４（ａ）により、ユーザは拠点名を確認しながら表示データを目視することができる。図３４（ｂ）により、ユーザは表示データのみを目視することができる。図３４（ｃ）については図３２（ｃ）と同様に、画像データに拠点名が合成されている。
【０２０４】
図３５は、画像表示制御部１４ｂが表示画面を表示する手順を示すフローチャート図の一例である。図３５の手順のうちステップＳ１０４０までの処理は図３３と同様である。
【０２０５】
ステップＳ１０４０において配置情報管理テーブルが更新されると、配置情報管理テーブルには表示画面に表示されるだけの数の画像データ又は表示データのレコードが登録されている。
【０２０６】
データ種類判定部２４は表示されるのが表示データか否かを判定する（Ｓ１０５０）。表示されるのが表示データでない場合（Ｓ１０５０のＮｏ）、処理はステップＳ１０６０に進み、表示データ又は画像データに拠点名が合成される（Ｓ１０６０、Ｓ１０７０）。
【０２０７】
表示されるのが表示データの場合（Ｓ１０５０のＹｅｓ）、受信画像数判定部２５は画像データ又は表示データが１つだけ表示されるか否かを判定する（Ｓ１０４２）。すなわち、配置情報管理テーブルに登録された領域（レコード）が１つか否かを判定する。
【０２０８】
画像データ又は表示データが１つだけ表示される場合（Ｓ１０４２のＹｅｓ）、拠点名称合成部２３は、画像データ又は表示データに拠点名を合成する（Ｓ１０６０、Ｓ１０７０）。
【０２０９】
表示データが１つだけ表示されるのではない場合（Ｓ１０４２のＮｏ）、拠点名称合成部２３は表示データに拠点名を合成することなく処理を終了する。
【０２１０】
従って、図３５のような合成手順によれば表示データがマルチビューモードと同等のレイアウトで表示される場合にだけ拠点名を合成しないことができる。
【０２１１】
なお、拠点名の消去１〜３のどの態様で表示データと拠点名が重なることを抑制するかは、ユーザが伝送端末１０に設定することができる。設定は記憶部１０００に記憶され、拠点名称合成部２３は設定を読み出すことで、表示データに対する拠点名の合成方法を切り替える。
【０２１２】
〔拠点名の消去４〕
拠点名の消去１〜３では、拠点名称合成部２３が機械的に表示データに拠点名を合成するかしないかを切り替えたが、ユーザが任意に拠点名を合成するか否かを選択可能としてもよい。
【０２１３】
図３６（ａ）は、ユーザによる拠点名の表示の有無を模式的に説明する図の一例である。ユーザはマウスなどのポインティングデバイス６１やタッチパネルなどを指でタッチすることで、拠点名を押下する。操作入力受付部１２は押下された位置の座標から領域を特定する。これにより、拠点名称合成部２３はユーザが押下した拠点名を表示データに合成することを終了することができる。なお、図３６では表示データへの合成を終了したが、画像データへの合成も同様に終了できる。
【０２１４】
図３６（ｂ）は、拠点名の合成が終了した表示画面の一例を示す。拠点名称合成部２３は拠点名の代わりにアイコン６２を表示データに合成する。ユーザはポインティングデバイス６１やタッチパネルなどを指でタッチすることで、アイコン６２を押下する。操作入力受付部１２は押下された位置の座標から領域を特定する。これにより、拠点名称合成部２３はユーザが押下した領域に表示データに合成することを再開することができる。
【０２１５】
図３７は、画像表示制御部１４ｂが表示画面を表示する手順を示すフローチャート図の一例である。図３７の手順のうちステップＳ１０４０までの処理は図３３と同様である。
【０２１６】
ステップＳ１０４０において配置情報管理テーブルが更新されると、拠点名称合成部は画像データを送信する伝送端末の端末ＩＤと紐付いている拠点名を配置情報管理テーブルから取得する（Ｓ１０６０）。
【０２１７】
そして、画像データ又は表示データに拠点名を合成する（Ｓ１０７０）。拠点名の合成を配置情報管理テーブルに登録された全ての端末ＩＤの画像データ又は表示データに対し行う。
【０２１８】
画像表示制御部１４ｂは、配置情報管理テーブルに従って、拠点名が合成された画像データ、及び、表示データの領域を特定し、それらを変更後のレイアウトに従って配置することで表示画面をディスプレイ１２０に表示する（Ｓ１０８０）。
【０２１９】
表示画面の表示中、操作入力受付部１２は領域名の押下が検出されたか否かを判定する（Ｓ１１１０）。
【０２２０】
領域名の押下が検出された場合（Ｓ１１１０のＹｅｓ）、拠点名称合成部２３は拠点名の合成を終了する（Ｓ１１２０）。すなわち、操作入力受付部１２から取得した座標により領域を特定し、配置情報管理テーブルに基づき領域に表示されている画像データ又は表示データを送信する伝送端末の端末ＩＤを特定する。以降は、この端末ＩＤの伝送端末が送信する画像データ又は表示データに拠点名を合成することを停止する。
【０２２１】
また、表示画面の表示中、操作入力受付部１２はアイコン６２の押下が検出されたか否かを判定する（Ｓ１１３０）。
【０２２２】
アイコン６２の押下が検出された場合（Ｓ１１３０のＹｅｓ）、拠点名称合成部２３は拠点名の合成を再開する（Ｓ１１４０）。すなわち、操作入力受付部１２から取得した座標により領域を特定し、配置情報管理テーブルに基づき領域に表示されている画像データ又は表示データを送信する伝送端末の端末ＩＤを特定する。以降は、ステップＳ１０６０、Ｓ１０７０により画像データ又は表示データに拠点名を合成することができる。
【０２２３】
以上のような処理によれば、ユーザは任意の表示データ又は画像データの拠点名を表示したり表示を停止したりすることができる。
【０２２４】
なお、図３７の手順では領域毎に個別に拠点名の表示の有無を制御できるが、１つの領域又は拠点名の選択で、全ての領域に対する拠点名の合成の有無を制御してもよい。
【０２２５】
従って、本実施形態の伝送端末によれば、伝送端末が表示する拠点名が表示データを見えにくくすることを抑制することができる。また、表示データに限られず、画像データに対しても拠点名により見えにくくなることを抑制することができる。
【０２２６】
なお、上記各実施形態における中継装置３０、伝送管理システム５０、プログラム提供システム９０、及びメンテナンスシステム１００は、単一のコンピュータによって構築されてもよいし、各部（機能又は手段）を分割して任意に割り当てられた複数のコンピュータによって構築されていてもよい。また、中継装置３０、伝送管理システム５０、プログラム提供システム９０、及びメンテナンスシステム１００の各部を統合して、１台以上のコンピュータによって構築されていてもよい。また、記憶部１０００，記憶部３０００、記憶部５０００は、中継装置３０、伝送管理システム５０、プログラム提供システム９０、及びメンテナンスシステム１００がアクセス可能な通信ネットワーク２に存在すればよい。
【０２２７】
また、プログラム提供システム９０が単一のコンピュータによって構築されている場合には、プログラム提供システム９０によって送信されるプログラムは、複数のモジュールに分けて送信されてもよいし、分けないで送信されてもよい。
【０２２８】
さらに、プログラム提供システム９０が複数のコンピュータによって構築されている場合には、複数のモジュールが分けられた状態で、各コンピュータから送信されるようにしてもよい。
【０２２９】
（実施形態の補足）
上記実施形態の説明では、図１に示す伝送システム１の一例として、テレビ会議システムの場合について説明した。しかしながら、伝送システム１は、ＩＰ（Ｉｎｔｅｒｎｅｔ  Ｐｒｏｔｏｃｏｌ）電話や、インターネット電話等の電話システムであってもよい。
【０２３０】
また、伝送システム１は、携帯電話機（スマートフォン等）の通信システムであってもよい。この場合、伝送端末１０は携帯電話機に相当する。伝送端末１０が携帯電話機である場合は、携帯電話機の本体、この本体に設けられた表示ボタン、本体に設けられた表示部（タッチパネル）、本体に設けられたマイク、本体に設けられたスピーカ等を備えている。この場合、例えば伝送端末１０は携帯電話回線（基地局からの空中線電力により、主に屋外などの比較的広い範囲をカバーする無線通信を含む）などを介してインターネットに接続される。
【０２３１】
また、伝送システム１は、移動体に搭載されたカーナビゲーション装置を含むシステムであってもよい。図３８は、伝送端末１０をカーナビゲーション装置２００に適用した場合のシステム構成の一例を示す図である。以下、カーナビゲーション装置２００を区別する場合、カーナビゲーション装置２００の符号を２００−ｉ（ｉは自然数）で表す。
【０２３２】
この場合、一方の伝送端末１０は、自動車６０１に搭載されたカーナビゲーション装置２００−２に相当する。他方の伝送端末１０は、管理センター６０４のコミュニケータが使用する管理端末２００−１、又は、他の自動車６０２に搭載されているカーナビゲーション装置２００−３に相当する。管理端末２００−１、カーナビゲーション装置２００−２、及び、カーナビゲーション装置２００−３は、ネットワーク２を介して互いに接続されている。また、管理端末２００−１、カーナビゲーション装置２００−２、及び、カーナビゲーション装置２００−３は、伝送管理システム５０によりセッションを確立させる。
【０２３３】
図３９は、カーナビゲーション装置の構成の一例を示す図である。カーナビゲーション装置２００は、これまで説明した伝送端末１０に、ＧＰＳ受信機６１２、車速センサ６１３、ジャイロセンサ６１４、道路地図データ６１５が接続された態様を有している。また、伝送端末１０は一体にディスプレイ１２０を有している。なお、ディスプレイ１２０は有線又は無線で伝送端末１０と接続されていてもよいし、伝送端末１０に対し着脱可能であってもよい。
【０２３４】
伝送端末１０は、プログラムを実行してカーナビゲーション装置２００としての機能を提供する。ＧＰＳ受信機６１２はＧＰＳ衛星を捕捉して現在位置の座標を出力する。車速センサ６１３は自動車６０１，６０２の速度（車輪の回転速度）を検出するセンサである。ジャイロセンサ６１４は角速度を検出するセンサであり、角速度を積分することで車両の走行方向が検出可能となる。
【０２３５】
道路地図データ６１５は、道路をノードとリンクの組み合わせで表したデータであり、外部からダウンロードされても、予め車両が保持していてもよい。道路地図はディスプレイ１２０に表示される。
【０２３６】
なお、伝送端末１０に画面共有用のＰＣが接続されてもよい。また、カーナビゲーション装置２００は、図３９で図示されている構成の他に、ラジオやＴＶ放送を受信するチューナー機能、音楽を再生するオーディオ機能、リアビューカメラ等の車載カメラとの連動機能、Ｗｅｂサイトを表示するブラウザ機能等を有していてもよい。
【０２３７】
伝送端末１０は、ＧＰＳ受信機６１２が検出する位置情報を起点にして、ジャイロセンサ６１４が検出する走行方向に車速センサ６１３が検出する走行距離を累積する自律航法により自車位置を推定する。自車位置は自車マークなどにより道路地図上に表示される。また、目的地までの経路を探索し運転者に案内する。このようにして、伝送端末１０はカーナビゲーションとしての機能を実現する。
【０２３８】
カーナビゲーション２００は、伝送端末１０によりネットワーク２に接続される。例えば、携帯電話機を用いて携帯電話回線（基地局からの空中線電力により、主に屋外などの比較的広い範囲をカバーする無線通信を含む）などを介してネットワーク２に接続される。
【０２３９】
カーナビゲーション装置２００としての伝送端末１０は、ネットワーク２に接続された他の伝送端末１０を含む宛先端末のリストをディスプレイ１２０に表示する。ディスプレイ１２０に表示された宛先端末のリストから宛先端末が選択され、宛先端末とのセッションが確立すると、伝送端末１０（又はカーナビゲーション装置）は画像データや音声データ等を、選択された宛先端末に送信、又は選択された宛先端末から受信できる。
【０２４０】
また、ユーザがカーナビゲーション装置２００又は伝送端末１０を操作することで伝送端末１０は道路地図やＴＶ映像などの表示データを取り込むことができる。伝送端末１０はこの表示データを、ネットワーク２に接続された他の伝送端末１０に送信できる。
【０２４１】
また、ユーザがディスプレイ１２０に表示された宛先端末のリストから、管理センター６０４のコミュニケータが使用する管理端末２００−１を選択すると、ディスプレイ１２０にコミュニケータの画像データが表示されスピーカから音声が出力される。よって、ユーザはコミュニケータとＴＶ電話のように会話することができる。
【０２４２】
以上説明したように、移動体に搭載されカーナビゲーション装置２００としての伝送端末１０は、テレビ会議システムの伝送端末１０と同様に、画像データ、音声データ及び表示データ等を送受信する。したがって、本実施形態の伝送システム１は、移動体に搭載されたカーナビゲーション装置２００に含まれるシステムであってもよい。
【０２４３】
また、上記実施形態では、伝送システム１によってテレビ会議をする場合について説明したが、これに限るものではなく、打ち合わせ、家族間や友人間等の一般的な会話、又は、一方向での情報の提示に使用されても構わない。
【符号の説明】
【０２４４】
１  伝送システム
２  通信ネットワーク
１０（１０ａａ，…，１０ｄｂ）  伝送端末
２２    帯域状態監視部
２３    狭帯域状態監視部
３０（３０ａ，…，３０ｄ）  中継装置
４０（４０ａａ，…，４０ｄｂ）  外部入力装置
４１  送受信部
４２  接続検出部
４３ａ  インストール判定部
４３ｂ  プログラム取得部
４５１  表示データ取得部
４５２  表示データ送信部
５０    伝送管理システム
１２０，２１６ディスプレイ
【先行技術文献】
【特許文献】
【０２４５】
【特許文献１】特開平09−238318号公報
【図１】
2015029255.tif 000003
【図２】
2015029255.tif 000004
【図３】
2015029255.tif 000005
【図４】
2015029255.tif 000006
【図５】
2015029255.tif 000007
【図６】
2015029255.tif 000008
【図７】
2015029255.tif 000009
【図８】
2015029255.tif 000010
【図９】
2015029255.tif 000011
【図１０】
2015029255.tif 000012
【図１１】
2015029255.tif 000013
【図１２】
2015029255.tif 000014
【図１３】
2015029255.tif 000015
【図１４】
2015029255.tif 000016
【図１５】
2015029255.tif 000017
【図１６】
2015029255.tif 000018
【図１７】
2015029255.tif 000019
【図１８】
2015029255.tif 000020
【図１９】
2015029255.tif 000021
【図２０】
2015029255.tif 000022
【図２１】
2015029255.tif 000023
【図２２】
2015029255.tif 000024
【図２３】
2015029255.tif 000025
【図２４】
2015029255.tif 000026
【図２５】
2015029255.tif 000027
【図２６】
2015029255.tif 000028
【図２７】
2015029255.tif 000029
【図２８】
2015029255.tif 000030
【図２９】
2015029255.tif 000031
【図３０】
2015029255.tif 000032
【図３１】
2015029255.tif 000033
【図３２】
2015029255.tif 000034
【図３３】
2015029255.tif 000035
【図３４】
2015029255.tif 000036
【図３５】
2015029255.tif 000037
【図３６】
2015029255.tif 000038
【図３７】
2015029255.tif 000039
【図３８】
2015029255.tif 000040
【図３９】
2015029255.tif 000041